(57)【特許請求の範囲】
【請求項１】
第１のネットワークにおける２つ以上の第１の無線ノードの間の、１つ以上の第１のリンクを制御する第１の制御ノードにおいて使用される方法（２０００）であって、
前記第１のネットワークに隣接し前記第１のネットワークと同じ周波数で動作する第２のネットワークにおける２つ以上の第２の無線ノードの間の、１つ以上の第２のリンクを制御する第２の制御ノードに対して、前記第１の制御ノードの所望のサウンディングおよびセンシング関連のパラメータを送信すること（Ｓ２０１０）と、
前記第１の制御ノードの前記所望のサウンディングおよびセンシング関連のパラメータに基づいて調整された、１つ以上の第２のリンクに適用されるサウンディングおよびセンシング関連のパラメータを、前記第２の制御ノードから受信すること（Ｓ２０２０）と、
前記１つ以上の第２のリンクに適用される前記サウンディングおよびセンシング関連のパラメータに基づいて、前記第１の制御ノードの前記所望のサウンディングおよびセンシング関連のパラメータを調整すること（Ｓ２０３０）と、
前記調整された所望のサウンディングおよびセンシング関連のパラメータを前記１つ以上の第１のリンクに適用すること（Ｓ２０４０）と、を含み、
前記第１の制御ノードの前記所望のサウンディングおよびセンシング関連のパラメータは、第１のサウンディングおよびセンシングのウィンドウを特定するための第１のサウンディングおよびセンシングのリソースパラメータを含み、
前記１つ以上の第２のリンクに適用される前記サウンディングおよびセンシング関連のパラメータは、第２のサウンディングおよびセンシングのウィンドウを特定するための第２のサウンディングおよびセンシングのリソースパラメータを含み、
前記１つ以上の第１のリンクに適用されるサウンディングおよびセンシング関連のパラメータを調整すること（Ｓ２０３０）は、
前記１つ以上の第２の無線ノードにより送信されたサウンディング信号をセンシングする前記２つ以上の第１の無線ノードに対するセンシングウィンドウとして、前記第２のサウンディングおよびセンシングのウィンドウと整合したウィンドウを定義すること、を含む、方法。
【請求項２】
前記第１のネットワークにおけるリンクの受信ノードに対してサービスを提供する前記２つ以上の第１の無線ノードのそれぞれから、１つ以上のセンシング結果を受信することと、
前記受信した１つ以上のセンシング結果に基づいて、方向性リンク干渉マップ（ＤＬＩＭ）を決定すること、を含む、請求項１に記載の方法。
【請求項３】
第２のネットワークにおける２つ以上の第２の無線ノードの間の、１つ以上の第２のリンクを制御する第２の制御ノードにおいて使用される方法（２１００）であって、
前記第２のネットワークに隣接し前記第２のネットワークと同じ周波数で動作する第１のネットワークにおける２つ以上の第１の無線ノードの間の、１つ以上の第２のリンクを制御する第１の制御ノードから、前記第１の制御ノードの所望のサウンディングおよびセンシング関連のパラメータを受信すること（Ｓ２１１０）と、
前記第１の制御ノードの前記所望のサウンディングおよびセンシング関連のパラメータに基づいて、前記１つ以上の第２のリンクに適用されるサウンディングおよびセンシング関連のパラメータを調整すること（Ｓ２１２０）と、
前記調整された所望のサウンディングおよびセンシング関連のパラメータを前記第１の制御ノードに送信すること（Ｓ２１３０）と、
前記調整された所望のサウンディングおよびセンシング関連のパラメータを前記１つ以上の第２のリンクに適用すること（Ｓ２１４０）と、を含み、
前記第１の制御ノードの前記所望のサウンディングおよびセンシング関連のパラメータは、第１のサウンディングおよびセンシングのウィンドウを特定するための第１のサウンディングおよびセンシングのリソースパラメータを含み、
前記１つ以上の第２のリンクに適用される前記サウンディングおよびセンシング関連のパラメータは、第２のサウンディングおよびセンシングのウィンドウを特定するための第２のサウンディングおよびセンシングのリソースパラメータを含み、
前記１つ以上の第２のリンクに適用されるサウンディングおよびセンシング関連のパラメータを調整すること（Ｓ２１２０）は、
前記１つ以上の第１の無線ノードにより送信されたサウンディング信号をセンシングする前記２つ以上の第２の無線ノードに対するセンシングウィンドウとして、前記第１のサウンディングおよびセンシングのウィンドウと整合したウィンドウを定義すること、を含む、方法。
【請求項４】
前記１つ以上の第２のリンクに適用されるサウンディングおよびセンシング関連のパラメータを調整すること（Ｓ２１２０）は、更に、
前記第２のサウンディングおよびセンシングのウィンドウが前記第１のサウンディングおよびセンシングのウィンドウと直交し隣接するように、前記第２のサウンディングおよびセンシングのウィンドウを調整すること、を含む、請求項３に記載の方法。
【請求項５】
前記１つ以上の第２のリンクに適用されるサウンディングおよびセンシング関連のパラメータを調整すること（Ｓ２１２０）は、更に、
前記第１および第２のサウンディングおよびセンシングのウィンドウ間において、整合したウィンドウが存在するように、前記第１および第２のサウンディングおよびセンシングのウィンドウを調整することを含み、
前記整合したウィンドウは、前記第１のネットワークにより影響を受けない前記第２のネットワークにおける１つ以上の第２のリンク、並びに、前記第２のネットワークにより影響を受けない前記第１のネットワークにおける１つ以上の第１のリンクに適用される、請求項３に記載の方法。
【請求項６】
前記整合したウィンドウのサイズは、前記第１の制御ノードおよび前記第２の制御ノード間でネゴシエートされる、請求項５に記載の方法。
【請求項７】
前記第２のネットワークにおけるリンクの受信ノードに対してサービスを提供する前記２つ以上の第２の無線ノードのそれぞれから、１つ以上のセンシング結果を受信することと、
前記受信した１つ以上のセンシング結果に基づいて、方向性リンク干渉マップ（ＤＬＩＭ）を決定すること、を更に含む、請求項３から６のいずれか１項に記載の方法。
【請求項８】
第１のネットワークにおける２つ以上の第１の無線ノードの間の、１つ以上の第１のリンクを制御する第１の制御ノード（２２００）であって、
前記第１のネットワークに隣接し前記第１のネットワークと同じ周波数で動作する第２のネットワークにおける２つ以上の第２の無線ノードの間の、１つ以上の第２のリンクを制御する第２の制御ノードに対して、前記第１の制御ノードの所望のサウンディングおよびセンシング関連のパラメータを送信するように構成された送信部（２２１０）と、
前記第１の制御ノードの前記所望のサウンディングおよびセンシング関連のパラメータに基づいて調整された、１つ以上の第２のリンクに適用されるサウンディングおよびセンシング関連のパラメータを、前記第２の制御ノードから受信するように構成された受信部（２２２０）と、
前記１つ以上の第２のリンクに適用される前記サウンディングおよびセンシング関連のパラメータに基づいて、前記第１の制御ノードの前記所望のサウンディングおよびセンシング関連のパラメータを調整するように構成された調整部（２２３０）と、
前記調整された所望のサウンディングおよびセンシング関連のパラメータを前記１つ以上の第１のリンクに適用する適用部（２２４０）と、を含み、
前記第１の制御ノードの前記所望のサウンディングおよびセンシング関連のパラメータは、第１のサウンディングおよびセンシングウィンドウを特定するための第１のサウンディングおよびセンシングのリソースパラメータを含み、
前記１つ以上の第２のリンクに適用される前記所望のサウンディングおよびセンシング関連のパラメータは、第２のサウンディングおよびセンシングのウィンドウを特定するための第２のサウンディングおよびセンシングのリソースパラメータを含み、
前記調整部（２２３０）は、更に、前記１つ以上の第２の無線ノードにより送信されたサウンディング信号をセンシングする前記２つ以上の第１の無線ノードに対するセンシングウィンドウとして、前記第２のサウンディングおよびセンシングのウィンドウと整合したウィンドウを定義するように構成される、第１の制御ノード（２２００）。
【請求項９】
前記受信部（２２２０）は、更に、前記第１のネットワークにおけるリンクの受信ノードに対してサービスを提供する前記２つ以上の第１の無線ノードのそれぞれから、１つ以上のセンシング結果を受信するように構成され、
前記第１の制御ノード（２２００）は更に、
前記受信した１つ以上のセンシング結果に基づいて、方向性リンク干渉マップ（ＤＬＩＭ）を決定するＤＬＩＭ決定部（２２５０）を有する、請求項８に記載の第１の制御ノード（２２００）。
【請求項１０】
第２のネットワークにおける２つ以上の第２の無線ノードの間の、１つ以上の第２のリンクを制御する第２の制御ノード（２３００）であって、
前記第２のネットワークに隣接し前記第２のネットワークと同じ周波数で動作する第１のネットワークにおける２つ以上の第１の無線ノードの間の、１つ以上の第２のリンクを制御する第１の制御ノードから、前記第１の制御ノードの所望のサウンディングおよびセンシング関連のパラメータを受信するように構成された受信部（２３１０）と、
前記第１の制御ノードの前記所望のサウンディングおよびセンシング関連のパラメータに基づいて、前記１つ以上の第２のリンクに適用されるサウンディングおよびセンシング関連のパラメータを調整するように構成された調整部（２３２０）と、
前記調整されたサウンディングおよびセンシング関連のパラメータを前記第１の制御ノードに送信するように構成され送信部（２３３０）と、
前記調整されたサウンディングおよびセンシング関連のパラメータを前記１つ以上の第２のリンクに適用する適用部（２３４０）と、を含み、
前記第１の制御ノードの前記所望のサウンディングおよびセンシング関連のパラメータは、第１のサウンディングおよびセンシングのウィンドウを特定するための第１のサウンディングおよびセンシングのリソースパラメータを含み、
前記１つ以上の第２のリンクに適用される前記所望のサウンディングおよびセンシング関連のパラメータは、第２のサウンディングおよびセンシングのウィンドウを特定するための第２のサウンディングおよびセンシングのリソースパラメータを含み、
前記調整部（２３２０）は更に、前記１つ以上の第１の無線ノードにより送信されたサウンディング信号をセンシングする前記２つ以上の第２の無線ノードに対するセンシングウィンドウとして、前記第１のサウンディングおよびセンシングのウィンドウと整合したウィンドウを定義するように構成される、第２の制御ノード（２３００）。
【請求項１１】
前記調整部（２３２０）は、更に、前記第２のサウンディングおよびセンシングのウィンドウが前記第１のサウンディングおよびセンシングのウィンドウと直交し隣接するように、前記第２のサウンディングおよびセンシングのウィンドウを調整するように構成される、請求項１０に記載の第２の制御ノード（２３００）。
【請求項１２】
前記調整部（２３２０）は、更に、前記第１および第２のサウンディングおよびセンシングのウィンドウ間において、整合したウィンドウが存在するように、前記第１および第２のサウンディングおよびセンシングのウィンドウを調整するように構成され、
前記整合したウィンドウは、前記第１のネットワークにより影響を受けない前記第２のネットワークにおける１つ以上の第２のリンク、並びに、前記第２のネットワークにより影響を受けない前記第１のネットワークにおける１つ以上の第１のリンクに適用される、請求項１０に記載の第２の制御ノード（２３００）。
【請求項１３】
前記整合したウィンドウのサイズは、前記第１の制御ノードおよび前記第２の制御ノード間でネゴシエートされる、請求項１２に記載の第２の制御ノード（２３００）。
【請求項１４】
前記受信部（２３１０）は、更に、前記第２のネットワークにおけるリンクの受信ノードに対してサービスを提供する前記２つ以上の第２の無線ノードのそれぞれから、１つ以上のセンシング結果を受信するように構成され、
前記第２の制御ノード（２３００）は更に、
前記受信した１つ以上のセンシング結果に基づいて、方向性リンク干渉マップ（ＤＬＩＭ）を決定するＤＬＩＭ決定部（２３５０）を有する、請求項１０から１３のいずれか１項に記載の第２の制御ノード（２３００）。
【請求項１５】
実行された場合に、１つ以上のコンピュータデバイスに、請求項１から７のいずれか１項に記載の方法を実行させる命令（２４１０）を記憶するコンピュータ読み取り可能な記憶媒体。
【発明の詳細な説明】
【技術分野】
【０００１】
本開示に示される技術は、一般には、無線通信ネットワークの技術分野に関する。より詳細には、本開示は、第１のネットワークにおける２つ以上の第１の無線ノード間の、１つ以上の第１のリンクを制御する第１の制御ノードにおいて使用される方法、関連する第１のノード、および、第２のネットワークにおいて２つ以上の第２の無線ノード間の１つ以上の第２のリンクを制御する第２の制御ノードにおいて使用される方法、および関連るる第２の制御ノードに関する。
【背景技術】
【０００２】
本セクションは、本開示で説明する技術の種々の実施形態に対する背景を提供することを目的とする。本セクションにおける記載は、追求し得る概念を含み得るが、必ずしも、先に想到され、または追求されたものではない。したがって、特に指定がない限り、本セクションで説明することは、本開示の説明および／またはクレームの従来技術ではなく、本セクションにおいて単に含まれることから従来技術とすることは許容されない。
【０００３】
現在、３０ＧＨｚから３００ＧＨｚの高周波数で動作する高周波数無線通信ネットワークまたはシステムは、マルチＧｂ／ｓのスピードを可能とすることにより、拡大する帯域の要件を満たす有望な技術として浮上している。例えば、第５世代（５Ｇ）ネットワークは、第３世代（３Ｇ）技術、第４世代（４Ｇ）技術、および、ＭＭＷ無線アクセス技術（ＲＡＴ）とも称される超緻密（Ultra-Density）ネットワーク（ＵＤＮ）等の新しく発生したまたは実質的に新しい要素との結合である可能性が高い。そのような高周波数では、多数のアンテナが送信機、受信機、またはその両方において利用可能である。典型的に発生する大きな伝搬損失を補うために、ＭＭＷ無線システムにおいて、ビームフォーミングは非常に重要な特徴である。
【０００４】
ビームフォーミングは、方向性のある信号送信および／または受信に対して使用される信号処理技術である。送信機（ＴＸ）のビームフォーミングに対しては、信号は、送信アンテナアレーに対して選択されたプリコーディングベクトルを適用することを介して、所望の方向に集中される。受信機（ＲＸ）のビームフォーミングに対しては、受信機のアンテナの受信ビームは、受信アンテナアレーに対して選択されたプリコーディングベクトルを適用することにより無線信号の到来する方向に集中される。ビームフォーミングは、空間選択性を得るために、送信および受信の終端の両方において使用することが可能である。全方向性の受信／送信と比較した改善は、ビームフォーミングゲインとして知られる。ゆえに、送信機、受信機、またはその両方においてマルチアンテナが利用可能な場合、対応する無線チャネルの空間選択性をより良く利用するために、効率的なビームパターンを適用することが重要である。
【０００５】
図１は、１つの例示的なＭＭＷ  ＲＡＴネットワークを概略的に示す。図１に示すように、中央制御ユニット（ＣＣＵ）と呼ばれるネットワークノードまたは制御ノードが存在し、これは少なくとも、例えばＡＮ１、ＡＮ２、ＡＮ３、ＡＮ４といったアクセスネットワーク（ＡＮｓ）間のパラメータ設定および調整に対して少なくとも責任を負う。
【０００６】
典型的には、リンクの受信側における受信電力は、以下のように表わされる。
0006557736.tif 000002
ここで、ＰＴＸは、リンクの送信側からの送信電力であり、ＧＴＸとＧＲＸは、それぞれ送信アンテナと受信アンテナのビームフォーミングゲインであり、λは、波長であり、αは、媒体における吸収に起因する減衰係数である。６０ＧＨｚにおけるＭＭＷ波のリンクに対しては、吸収損失は１６ｄＢ／ｋｍと同じくらい高くなり得る。
【０００７】
上記の式から、無線波の減衰は、１／λ２と比例することが明らかである。同じ伝搬距離では、酸素吸収を考慮せずに、６０ＧＨｚは、２ＧＨｚと比較して２９．５ｄＢ減衰させる。
【０００８】
このことを考慮すると、余分な減衰を補償するためには高いゲインのビームフォーミングが必須である。短い波長のおかげで、より多くのアンテナエレメントが同じサイズでアンテナパネルに統合することができる。これにより、より高いビームフォーミングゲインを達成することが可能となる。しかしながら、何十または何百のアンテナエレメントがある場合、各アンテナエレメントに対する１つの無線周波数（ＲＦ）チェイン（送信ＲＦチェインまたは受信ＲＦチェイン）は、許容できないコストにより適用されない。そのようなケースでは、複数のアンテナエレメントは、１つのＲＦチェインを共有し、特定のアナログ位相の調整が、ビーム方向を調整しビームフォーミングゲインを最大化するために各アンテナに対して適用される。狭ＴＸビームにより、ビーコン信号の送信を、ＡＮ発見エリアとするためにステアリングし、ビームフォーミングゲインを最大化するためにビームフォーミングトレーニングを行う必要がある。
【０００９】
一方で、高ゲインビームフォーミングは、隠れノード問題（hidden node problem）と難聴問題（deafness problem）等を含む課題をもたらし得る。そのような問題を以下においてより詳細に説明する。
【００１０】
図２は、高ゲインビームフォーミングの方向性により引き起こされる隠れノード問題の例を示す。図２に示されるように、リンク１は、アクセスポイント１（ＡＰ１）とユーザ装置１（ＵＥ１）により構成され、リンク２はＡＰ２とＵＥ２により構成される。ＡＰ２はＵＥ２に送信を行う場合、ＡＰ１またはＵＥ１は、ＡＰ２とＵＥ２により利用されているチャネルを検出することができない。なぜならば、ＡＰ１とＵＥ１の両方は、ＡＰ２からＵＥ２へのＴＸビームカバレッジの外にあるからである。しかしながら、ＡＰ１がＵＥ１にデータを送信するとき、ＴＸビームはＵＥ２に届き、干渉を引き起こす。
【００１１】
図３は、高ゲインビームフォーミングの方向性により引き起こされる難聴問題の例を示す。図３に示されるように、ＵＥ１とＡＰ１はリンク１を構成し、ＵＥ２とＡＰ２はリンク２を構成する。リンク２は、ＡＰ２からＵＥ２へのデータ送信を行っている最中である。しかし、これはＵＥ１により検出されない。なぜならば、ＵＥ１は、この方向を監視（または検知）できないからである。しかしながら、ＵＥ１がデータ送信を開始すると、ＵＥ１とＵＥ２が互いに近いことから、ＵＥ２から受信されているデータは明確に影響を受ける可能性がある。
【００１２】
現在、ＭＭＷ−ＲＡＲの全キャリア帯域は、１または２ＧＨｚまでとすることが可能と想定されている。この帯域は、特定の帯域（例えば１００ＭＨｚ）のいくつかのサブバンドキャリアにより構成することができる。例として、図４に、４サブバンドを有する１つのＭＭＷ−ＲＡＴキャリアを示す。図４における最も小さいリソースグリッドは、周波数領域におけるサブバンドと時間領域におけるサブフレームに対応し、これはサウンディングおよびセンシングのエレメントとして称され得る。もちろん、サウンディングおよびセンシングのリソースエレメントは、符号に関するものでもあり得る。
【００１３】
利用可能なリソースを割り当てるために、競合ベースのリソース割り当て方法および／またはスケジューリングベースのリソース割り当て方法が、衝突を回避する基本的なポリシーとして、ＭＭＷ−ＲＡＴに適用され得る。競合ベースのリソース割り当て方法により、チャネル利用可能性における自己判定に基づいて、チャネルを争うためのメカニズムが提供される。スケジューリングベースのリソース割り当て方法では、図１に示されるようなＣＣＵ等スケジューラは、競合ベース方法または調整方法のいずれかをまず介して、リソースの可制御性を得て、制御されるリンクにリソースを割り当てる。
【００１４】
それは、競合ベースのリソース割り当て方法とスケジューリングベースのリソース割り当て方法のある種の組み合わせが存在し得る。図５は、ＭＭＷ−ＲＡＴネットワークにおける複雑な干渉状況の例を示す。図５に示されるように、高ゲインのビームフォーミングの方向性に起因して、リンク１とリンク２は、耐え難いアップリンク（ＵＬ）からダウンリンク（ＤＬ）の干渉を有し、一方でリンク５とリンク６は耐え難いＤＬからＤＬの干渉とＵＬからＤＬの干渉を有し得る。そのような干渉は、以下においてリンク間干渉を称し得る。
【００１５】
ＭＭＷ  ＲＡＴネットワーク内のリンクに加えて、リンク間干渉は更に、同じ周波数スペクトルにおいて動作する２つのＭＭＷ  ＲＡＴネットワーク間のリンクに関する。簡単化を目的として、同じ周波数スペクトルにおいて動作する２つのネットワークを、スペクトル共有ネットワークと呼び、典型的には、２つの部分的に重複、隣接、または近隣の（すなわち特定の距離間を有する）ネットワークである。これに関して、１つのネットワーク内のリンク間干渉（例えば図５に示されるような干渉）は、リンク内リンク間干渉と称され得るが、２つのスペクトル共有干渉間のリンク間干渉は、以下において、ネットワーク間リンク間干渉と称され得る。すなわち、ネットワーク間リンク間干渉は、２つのスペクトル共有ネットワーク間で主に発生する。
【００１６】
図６は、２つのスペクトル共有ＭＭＷ  ＲＡＴネットワーク間のネットワーク間リンク間の典型的なシナリオを示す。そのようなシナリオでは、同じ周波数スペクトルにおいて動作するネットワークＡとネットワークＢを含む、いくつかのＭＭＷ  ＲＡＴネットワークが存在すると仮定する。ネットワークＡではＡＮ１からＵＥ１へのリンク（リンクＡ）が存在し、ネットワークＢではＡＮ２からＵＥ２へのリンク（リンクＢ）が存在する。ＡＮ１とＡＮ２がそれぞれ同時に（同じ時間に、ＵＥ１とＵＥ２はサウンディング信号を検知する、すなわち、ＲＸ状態で）サウンディング信号を送信する場合、ＡＮ１のＴＸビームのカバレッジは、図示するように、ＵＥ２のＲＸビームのカバレッジに部分的に重なる。すなわち、リンクＢはリンクＡによる干渉を受ける。
【００１７】
高ゲインビームフォーミングの方向性に起因して、全方向送信より、衝突判定がより複雑となる。従来の測定法は、上述した難聴問題および隠れノード問題により、良好には働かない。また、無線ローカルエリアネットワーク（ＷＬＡＮ、８０２．１１）において商用に使用されるキャリアセンス方法が開発されているが、それらは主にローカルアクセスシステムに対するものである。それは、分散したキャリアセンス方法である。すなわち、キャリアセンシングは、各ノードで独立的になされる。ＭＭＷ  ＲＡＴでは、第１に、無線フィデリティ（ＷｉＦｉ）が狙うものよりも、ＡＰとＵＥの複数のノードを含む、より良い寸法の配備、およびより良いネットワークの可制御性（例えば、自己最適化、自己組織化、および移動性）を有する。第２に、ＭＭＷ  ＲＡＴは、ＷｉＦｉより、より良いサービスの品質（ＱｏＳ）を提供することが期待されている。この検知では、ＷｉＦｉの単純な分散キャリアセンシングより、より良い測定が望まれる。
【００１８】
３Ｇと４Ｇの無線システムにおける干渉測定は、（ネットワーク内リンク間干渉とネットワーク間リンク間干渉を含む）リンク間干渉より、主に、セル間／送信ポイント間の干渉を測定するように設計されている。ＭＭＷ  ＲＡＴのケースにおける、小さなセクタサイズと大きな重複カバレッジに関して、３Ｇまたは４Ｇシステムと同様の測定は、衝突におけるリンクを識別し、干渉管理に役立つのに十分ではない。
【発明の概要】
【００１９】
上記の検討および他の観点から、本技術の種々の実施形態がなされた。具体的には、上述の欠点の少なくともいくつかを目的として、本開示では、２つのスペクトル共有ネットワーク等の２つの異なるネットワーク間のサウンディングおよびセンシングのパラメータを調整することを提案する。
【００２０】
本開示の第１の観点によれば、第１のネットワークにおける２つ以上の第１の無線ノードの間の、１つ以上の第１のリンクを制御する第１の制御ノードにおいて使用される方法が提案される。方法は、第１のネットワークと同じ周波数で動作し第１のネットワークに隣接する第２のネットワークにおける２つ以上の第２の無線ノードの間の１つ以上の第２のリンクを制御する第２の制御ノードに、第１の制御ノードの所望のサウンディングおよびセンシング関連のパラメータを送信することと、第２の制御ノードから、第１の制御ノードの所望のサウンディングおよびセンシング関連のパラメータに基づいて調整された、１つ以上の第２のリンクに適用されるサウンディングおよびセンシング関連のパラメータを受信することと、１つ以上の第２のリンクに適用されるサウンディングおよびセンシング関連のパラメータに基づいて、第１の制御ノードの所望のサウンディングおよびセンシング関連のパラメータを調整することと、調整された所望のサウンディングおよびセンシング関連のパラメータを１つ以上の第１のリンクに適用すること、を含む。
【００２１】
好ましくは、第１の制御ノードののサウンディングおよびセンシング関連のパラメータは、第１のサウンディングおよびセンシングウィンドウを特定するための第１のサウンディングおよびセンシングのリソースパラメータを含む。１つ以上の第２のリンクに適用される第１の制御ノードの所望のサウンディングおよびセンシング関連のパラメータは、第２のサウンディングおよびセンシングのウィンドウを特定するための第２のサウンディングおよびセンシングのリソースパラメータを含む。１つ以上の第１のリンクに適用されるサウンディングおよびセンシング関連のパラメータを調整することは、１つ以上の第２の無線ノードにより送信されたサウンディング信号をセンシングする２つ以上の第１の無線ノードに対するセンシングウィンドウとして、第２のサウンディングおよびセンシングのウィンドウと整合したウィンドウを定義することを含む。
【００２２】
好ましくは、方法は更に、第１のリンクにおけるリンクの受信ノードに対してサービスを提供する２つ以上の第１の無線ノードのそれぞれから１つ以上のセンシング結果を受信することと、受信した１つ以上のセンシング結果に基づいて、方向性リンク干渉マップ（ＤＬＩＭ）を決定することを含む。
【００２３】
本開示の第２の観点によれば、第２のネットワークにおける２つ以上の第２の無線ノードの間の、１つ以上の第２のリンクを制御する第２の制御ノードにおいて使用される方法が提案される。方法は、第２のネットワークと同じ周波数で動作し第２のネットワークに隣接する第１のネットワークにおける２つ以上の第１の無線ノードの間の、１つ以上の第２のリンクを制御する第１の制御ノードから、第１の制御ノードの所望のサウンディングおよびセンシング関連のパラメータを受信することと、第１の制御ノードの所望のサウンディングおよびセンシング関連のパラメータに基づいて、１つ以上の第２のリンクに適用されるサウンディングおよびセンシング関連のパラメータを調整することと、調整した所望のサウンディングおよびセンシング関連のパラメータを第１の制御ノードに送信することと、調整したサウンディングおよびセンシング関連のパラメータを１つ以上の第２のリンクに適用すること、を含む。
【００２４】
好ましくは、第１の制御ノードのサウンディングおよびセンシング関連のパラメータは、第１のサウンディングおよびセンシングのウィンドウを特定するための第１のサウンディングおよびセンシングのリソースパラメータを含む。２つ以上の第２のリンクに適用される第１の制御ノードの所望のサウンディングおよびセンシング関連のパラメータは、第２のサウンディングおよびセンシングのウィンドウを特定するための第２のサウンディングおよびセンシングのリソースパラメータを含む。１つ以上の第２のリンクに適用されるサウンディングおよびセンシング関連のパラメータを調整することは、１つ以上の第１の無線ノードにより送信されたサウンディング信号をセンシングする２つ以上の第２の無線ノードに対するセンシングウィンドウとして、第１のサウンディングおよびセンシングのウィンドウと整合したウィンドウを定義することを含む。
【００２５】
好ましくは、１つ以上の第２のリンクに適用されるセンシング関連のパラメータを調整することは、更に、第２のサウンディングおよびセンシングのウィンドウが第１のサウンディングおよびセンシングのウィンドウと直交し隣接するように、第２のサウンディングおよびセンシングのウィンドウを調整することを含む。
【００２６】
好ましくは、１つ以上の第２のリンクに適用されるセンシング関連のパラメータを調整することは、更に、第１と第２のサウンディングおよびセンシングのウィンドウの間において、整合したウィンドウが存在するように、第１および第２のサウンディングおよびセンシングのウィンドウを調整することを含む。整合されたウィンドウは、第１のネットワークにより影響を受けない第２のネットワークにおける１つ以上の第２のリンク、並びに、第２のネットワークにより影響を受けない第１のネットワークにおける２つ以上の第１のリンクに割り当てられる。
【００２７】
好ましくは、整合されたウィンドウのサイズは、第１の制御ノードおよび第２の制御ノード間でネゴシエートされる。
【００２８】
好ましくは、方法は更に、第２のリンクにおけるリンクの受信ノードに対してサービスを提供する２つ以上の第２の無線ノードのそれぞれから１つ以上のセンシング結果を受信することと、受信した１つ以上のセンシング結果に基づいて、方向性リンク干渉マップ（ＤＬＩＭ）を決定することを含む。
【００２９】
本開示の第３の観点によれば、第１のネットワークにおける２つ以上の第１の無線ノードの間の、１つ以上の第１のリンクを制御する第１の制御ノードが提案される。第１の制御ノードは、第１のネットワークと同じ周波数で動作し第１のネットワークに隣接する第２のネットワークにおける２つ以上の第２の無線ノードの間の１つ以上の第２のリンクを制御する第２の制御ノードに、第１の制御ノードの所望のサウンディングおよびセンシング関連のパラメータを送信するように構成された送信部と、第２の制御ノードから、第１の制御ノードの所望のサウンディングおよびセンシング関連のパラメータに基づいて調整された、１つ以上の第２のリンクに適用されるサウンディングおよびセンシング関連のパラメータを受信するように構成された受信部と、１つ以上の第２のリンクに適用されるサウンディングおよびセンシング関連のパラメータに基づいて、第１の制御ノードの所望のサウンディングおよびセンシング関連のパラメータを調整するように構成された調整部と、調整された所望のサウンディングおよびセンシング関連のパラメータを１つ以上の第１のリンクに適用するように構成された適用部、を有する。
【００３０】
本開示の第４の観点によれば、第２のネットワークにおける２つ以上の第２の無線ノードの間の、１つ以上の第２のリンクを制御する第２の制御ノードが提案される。第２の制御ノードは、第２のネットワークと同じ周波数で動作し第２のネットワークに隣接する第１のネットワークにおける２つ以上の第１の無線ノードの間の１つ以上の第２のリンクを制御する第１の制御ノードから、第１の制御ノードの所望のサウンディングおよびセンシング関連のパラメータを受信するように構成された受信部と、第１の制御ノードの所望のサウンディングおよびセンシング関連のパラメータに基づいて、１つ以上の第２のリンクに適用されるサウンディングおよびセンシング関連のパラメータを調整するように構成された調整部と、調整した所望のサウンディングおよびセンシング関連のパラメータを第１の制御ノードに送信することと、調整したサウンディングおよびセンシング関連のパラメータを１つ以上の第２のリンクに適用するように構成された適用部、を有する。
【００３１】
本開示の第５の観点によれば、実行された場合に、１つ以上のコンピュータデバイスに、第１の観点または第２の観点の方法を実行させる命令を記憶するコンピュータプログラム製品が提案される。
【００３２】
本開示によれば、サウンディングおよびセンシング関連のパラメータは、２つの異なるネットワーク間で調整される。これにより、１つのネットワーク内の全てのリンクの受信機は、それらの対応する送信機が方向性サウンディング信号を送信しているときに（すなわち、送信状態）、方向性センシング状態（すなわち、受信状態）となり得る。これにより、干渉の測定の精度を向上させながらも、ネットワーク間リンク間干渉の測定を簡単化することができる。
【図面の簡単な説明】
【００３３】
本開示の前述の特徴および他の特徴は、付随の図面と共にもたらされる、以下の説明と添付の請求項から、より完全に明らかになるだろう。これらの図面は、本開示に従ういくつかの実施形態のみを示し、ゆえに、その範囲に限定されると考慮されるべきではないと理解し、添付の図面の利用を介して本開示は追加的な特異性と共に説明される。
【図１】図１は、１つの例示的なＭＭＷ  ＲＡＴネットワークを概略的に示す。
【図２】図２は、高ゲインビームフォーミングの方向性により引き起こされる隠れノード問題の例を示す。
【図３】図３は、高ゲインビームフォーミングの方向性により引き起こされる難聴問題の例を示す。
【図４】図４は、４サブバンドを有する１つのＭＭＷ−ＲＡＴキャリアを示す。
【図５】図５は、ＭＭＷ−ＲＡＴネットワークにおける複雑な干渉状況の例を示す。
【図６】図６は、２つのスペクトル共有ＭＭＷ  ＲＡＴネットワーク間のネットワーク間リンク間干渉の典型的なシナリオを示す。
【図７】図７は、ＡＤＳＳが実装され得る無線通信ネットワークの例を示す。
【図８】図８は、本開示の実施形態に従う、制御ノードにおいて実行される方法８００のフローチャートを示す。
【図９】図９は、本開示の実施形態に従う、一般的なサウンディングおよびセンシングのリソース割り当て構成を示す。
【図１０】図１０は、本開示の実施形態に従う、受信ノードにおいて実行される方法１０００のフローチャートを示す。
【図１１】図１１は、本開示の実施形態に従う、例示的なサウンディングおよびセンシングのリソース割り当て構成を示す。
【図１２】図１２は、本開示の実施形態に従う、送信ノードにおいて実行される方法１２００のフローチャートを示す。
【図１３】図１３は、本開示の実施形態に従う、例示的なサウンディングおよびセンシングのリソース割り当て構成を示す。
【図１４】図１４は、本開示の実施形態に従う、２つのスペクトル共有ネットワーク間で方向性のサウンディングおよびセンシングのパラメータを調整する手順１４００のフローシーケンスを示す。
【図１５】図１５は、本開示の実施形態に従う、ＣＣＵ  ＡとＣＣＵ  Ｂによりそれぞれ決定されるＤＬＩＭの例を示す図である。
【図１６】図１６は、本開示の実施形態に従う、調整された第１と第２のＡＤＳＳパターンの例を示す。
【図１７】図１７は、図１６に示される例の極端な変形を示す。
【図１８】図１８は、本開示の実施形態に従う、調整された第１と第２のＡＤＳＳパターンの例を示す。
【図１９】図１９は、本開示の実施形態に従う、調整された第１と第２のＡＤＳＳパターンの例を示す。
【図２０】図２０は、本開示の実施形態に従う、第１の制御ノードにおいて実行される方法２０００のフローチャートを示す。
【図２１】図２１は、本開示の実施形態に従う、第２の制御ノードにおいて実行される方法２１００のフローチャートを示す。
【図２２】図２２は、本開示に従う、第１の制御ノード２２００の概略ブロック図である。
【図２３】図２３は、本開示に従う、第２の制御ノード２３００の概略ブロック図である。
【図２４】図２４は、本開示に従う、第１の制御ノード２２００または第２の制御ノード２３００により使用され得る構成２４００の実施形態を概略的に示す。
【図２５】図２５は、本開示に従う、ＡＤＳＳサブ機能モジュールと、プロトコルレイヤへのそれらの対応するマッピングを示す。
【図２６】図２６は、本開示に従う、例示的な設定シグナリングのフローを示す。
【図２７】図２７は、本開示に従う、例示的なセンシング結果シグナリングのフローを示す。
【図２８】図２８は、本開示に従う、スケジューリングベースのリソース割り当てに対する例示的なシグナリングフローを示す。
【発明を実施するための形態】
【００３４】
以下において、本開示では、添付の図面を参照して説明を行う。しかしながら、その説明は、本開示を制限するよりむしろ、説明を目的として提供されるに過ぎないと理解されるべきである。さらに、以下において、本開示の概念を曖昧にしないように、既知の構成および技術についての説明は省略する。
【００３５】
まず第１に、例えば１つのＭＭＷ  ＲＡＴネットワーク内のリンク間を考慮すると、本開示では、方向性のサウンディングおよびセンシングのパラメータと整合することが提案される。そのようなソリューションは、整合方向性サウンディングおよびセンシング（ＡＤＳＳ）と称され、そのようなソリューション対象であるネットワークに対するサウンディングおよびセンシングのパラメータは、以下、ＡＤＳＳパターンと称され得る。詳細には、本開示は、そリンク方向において方向性サウンディングビームを送信するための、時間−周波数無線リソースを有する各リンクの送信機（すなわち、リンク送信機と受信機）、および、それに対応して、その方向において全ての可能なサウンディング信号を方向的に管理するための、同じ時間−周波数無線リソースを有する各リンクの受信機を構成する。そのような時間−周波数無線リソースのパターンは、ネットワークに対するＡＤＳＳパターンである。それにより、すべてのリンクの受信機は、それらの対応する送信機が方向性サウンディング信号を送信しているときに、方向性センシング状態にある。このように、犠牲リンクと干渉リンクは、正しく識別され、互いの干渉レベルを測定することが可能となる。すなわち、ＭＭＷ  ＲＡＴネットワークの効果的なリンク間干渉マップ（方向性リンク干渉マップ（Directional Link Interference Map）、すなわちＤＬＩＭ）を、ネットワーク内リンク間干渉を示すために導出することができる。そのような測定情報は、例えば、時間、周波数、および送信電力リソースの、リソース割り当て手法を強化するために利用することができる。
【００３６】
図７は、ＡＤＳＳが実装され得る無線通信ネットワークの例を示す。無線通信ネットワークは、中央制御ユニット（ＣＣＵ）７００と、図７では６つのＡＮが示される、（アクセスノードとも称される）複数の無線ノードを含む。ＣＣＵ７００は、Ｎｏｄｅ  Ｂ、基地局（ＢＳ）、ｅＮＢ、ｅＮｏｄｅＢ、ホームＮｏｄｅ  Ｂ、ホームｅＮｏｄｅ  Ｂ、リレーノード、ＡＰ、または、ＬＴＥネットワーク、あらゆる第３世代パートナーシッププロジェクト（３ＧＰＰ）セルラネットワーク、ＭＷＶネットワーク、Ｗｉｍａｘネットワーク、ＷＬＡＮ／Ｗｉ−Ｆｉ、ＷＰＡＮ等のあらゆる無線システムまたはセルラネットワークにおいて、少なくとも、ＡＮ間のパラメータ設定および調整を担うとともに、ＡＮ間の無線リンクを制御する、あらゆる他の制御ノードまたはネットワークノードであり得る。各無線ノードは、例えば、無線デバイス、移動無線端末または無線端末、携帯電話、ラップトップ等のコンピュータ、ときにファブレットと称される、無線機能を有するパーソナルデジタルアシスタント（ＰＤＡ）またはタブレットコンピュータ（前述のものは、まとめてＵＥとして知られる）、無線機能を有するセンサまたはアクチュエータ、または無線通信ネットワークにおけるリンクを介して通信することが可能なあらゆる他の無線ネットワークユニットであり得る。なお、本書類で使用される「無線ノード」または「ＡＮ」の用語はまた、マシーンタイプ通信（ＭＴＣ）デバイスとも示される、マシーン・ツー・マシーン（Ｍ２Ｍ）等の他の無線デバイスもカバーする。本例では、４つのＡＮがＡＰ（すなわち、ＡＰ７１０、ＡＰ７２０、ＡＰ７３０、ＡＰ７４０）として例示され、２つのＡＮがＵＥ（すなわち、ＵＥ７５０、ＵＥ７６０）として例示されている。さらに、各ＡＮは、異なる無線リンクにおいて、送信ノードまたは受信ノードのいずれかとみなすことができる。例えば、ＡＰ７１０がＵＥ７５０に送信するリンクにおいて、ＡＰ７１０は、送信ノードであり、ＵＥ７５０は受信ノードである。反対に、ＡＰ７１０がＵＥ７５０からデータを受信するリンクにおいて、ＡＰ７１０は、受信ノードであり、ＵＥ７５０は送信ノードである。逆に言えば、無線ノードまたはＡＮは、その役割に依存して、クライアント無線ノードまたはサーバ無線ノードのいずれかであり得る。例えば、図７に示すように無線ノードがＵＥ７６０である場合、ＡＰ７２０は、そのサーバ無線ノードに対してサービスを提供する。ＵＥは、ＵＥがホットスポットとしてサービスを提供し、かつ、他のＵＥにサービスを提供する場合、サーバ無線ノードの役割を担い得ることも可能である。このケースでは、サーバ無線ノードはＵＥであり、クライアント無線ノードはＵＥにサービスを提供される他のＵＥであり得る。
【００３７】
図８は、本開示の実施形態に従う、図７におけるＣＣＵ７００等の制御ノードにおいて実行される方法８００のフローチャートを示す。具体的には、方法８００は、ネットワーク側においてＡＤＳＳを実装するために使用される。
【００３８】
ステップＳ８１０では、制御ノードは、例えば図７に示すようにＡＰ７１０とＵＥ７５０間の無線リンクであるリンクに対するサウンディングおよびセンシング関連のパラメータを決定する。決定されたサウンディングおよびセンシング関連のパラメータは、当該リンクに対する個別のサウンディングおよびセンシング関連のパラメータ、および、制御ノードにより制御される全てのリンクに対するセンシング関連のパラメータを含む。共通のサウンディングおよびセンシング関連のパラメータは、サウンディングおよびセンシングの期間、および、サウンディングおよびセンシングの間隔（すなわち、サウンディングおよびセンシングの期間）を含む。
【００３９】
実施可能な実装として、制御ノードは、例えばＡＰ７１０またはＵＥ７５０等の、リンクのいずれかの終端等から、リンクに対するセットアップ要求を受信したことに応じて、サウンディングおよびセンシング関連のパラメータを決定し得る。
【００４０】
ステップＳ８２０では、制御ノードは、決定したサウンディングおよびセンシング関連のパラメータを、リンクの送信ノードと受信ノードに送信する。例えば、図７に示すように、送信ノードはＡＰ７１０であり、受信ノードはＵＥ７５０である。
【００４１】
実装では、共通のサウンディングおよびセンシング関連のパラメータは、更に、受信ノードがそのセンシング結果を制御ノードに報告するためのルールを含む。
【００４２】
別の実装では、リンクに対する個別のサウンディングおよびセンシング関連のパラメータは、サウンディング信号を送信する送信ノードに対する、サウンディングのリソースエレメントを特定するためのサウンディングのリソースパラメータを含み得る。特定のサウンディングのリソースエレメントは、時間、周波数、および符号の少なくとも１つ以上に関する。
【００４３】
別の実装では、方法８００は更に、以下のステップ（不図示）を含み得る。すなわち、制御ノードの制御下で全てのリンクの全ての受信ノードからの１つ以上のセンシング結果を受信すること、受信した１つ以上のセンシング結果に基づいてＤＬＩＭを決定すること、決定したＤＬＩＭに基づいて、制御ノードにより制御される全てのリンクにおいてデータ送信に対するリソース割り当て方法およびリソース割り当て戦略を決定すること、である。
【００４４】
方法８００の１つの主たる利点は、全てのリンクの受信ノードが、それらの隣接するリンクの送信ノードが方向性サウンディング信号を送信する際に、方向性センシング状態となり得ることである。これにより、異なるリンク間の衝突を回避および／または制御しながらも、ネットワークが周波数リソースの空間的な再利用を効率的に向上させることに基づいて、１つのリンクが、全ての干渉リンクを識別し、これらの干渉リンクから干渉レベルを測定することができる。
【００４５】
図９は、本開示の実施形態に従う、一般的なサウンディングおよびセンシングのリソース割り当て構成を示す。
【００４６】
図９に示すように、方向性のサウンディングおよびセンシングの期間（ＤＳＰＰ）は、サウンディングおよびセンシングの期間を示し、方向性のサウンディングおよびセンシング間隔（ＤＳＳＩ）は、サウンディングおよびセンシングの間隔、すなわち、サウンディングおよびセンシングのためのウィンドウ／期間、を示す。ＤＳＰＰとＤＳＳＩは、制御ノードにより制御される全てのリンクに対する、共通のサウンディングおよびセンシング関連のパラメータであり、ＡＤＳＳパターンとして制御ノードにより決定され得る。例えば、ＡＤＳＳパターンは、図１１に示すようなセンシングリソース割り当て構成と、図１３に示すようなサウンディングリソース割り当て構成を示し得る。
【００４７】
ＤＳＳＰとＤＳＳＩは、主に時間領域に関する。例えば、ＤＳＳＰとＤＳＳＩは共に、時間ウィンドウを参照する。このケースでは、各リンクの送信ノードは、ＤＳＳＩにより定義された時間ウィンドウの間で、リンクの方向において、リンクの受信ノードに対してサウンディング信号を送信し、受信ノードは、同じ時間ウィンドウの間で、リンクの方向において、全てのサウンディング信号を検知する。よって、リンク間干渉、例えば、図５に示すリンク５とリンク６の間のＤＬ−ＤＬ干渉、を効率的な方法で検知することが可能となる。
【００４８】
オプション的に、ＤＳＳＰとＤＳＳＩは、周波数領域に関するものであり得る。例えば、ＤＳＳＩは、更に、リンクの送信ノード／受信ノードにより利用される、１つ以上のサブバンドを定義し得る。
【００４９】
ＤＳＳＩ内では、いくつかのサウンディングおよびセンシングのリソースエレメントが存在し、それらのいくつかは、個別のサウンディングおよびセンシング関連のパラメータによりサウンディング信号を送信するためのリンクに割り当てられ、よって、それらはサウンディングリソースユニット（ＳＲＵｓ）と呼ばれる。１つのサウンディングおよびセンシングのリソースエレメントは、時間、周波数、および符号の少なくとも１つ以上に関して定義され得る。例えば、１つのサウンディングおよびセンシングのリソースエレメントは、１つの時間−周波数リソースユニットと直交シーケンスとして定義され得る。これは、複数のサウンディング信号は、直交シーケンスを用いることにより１つの時間−周波数ユニットに対して多重化され得ることを意味する。
【００５０】
実際には、ＤＳＳＩの長さは、ネットワークにおけるリンク密度に基づいて決定され得る。また、ＤＳＳＰの長さは、送信／受信方向の変化および送信電力の変化の両方を含む、リンクの送信／受信ビームの変化をトランキングできるのに十分に短いものであり得る。
【００５１】
例示的なＤＬＩＭを、図５を参照して説明する。図５において示すように、ＤＬＩＭは、各リンク（リンクｉ、図５において示すリンク１−６のうちのいずれか１つ）の送信機からの受信サウンディング信号電力と、サウンディング信号が当該リンク（リンクｉ）の受信機により検出された他のリンクからの受信サウンディング信号強度を示すことができる。
【００５２】
ＤＬＩＭは、第１のリンクの送信機が、第２のリンクの受信機に多量の干渉を与えるかを識別し得る。多量の干渉が与えられると、干渉レベルと対応するリンクの識別がＤＬＩＭに含まれる。受信機から報告されたサウンディング信号と対応する信号強度に依存し、制御ノードは、当該リンクと対応する干渉レベルを受信機に知らせることができる。
【００５３】
例えば、ＤＬＩＭは、新しい方向性サウンディング報告を受信機から受信したこと、または、リンクセットアップ／リンクリリース、に応じて、更新され得る。
【００５４】
そのようなＤＬＩＭを有することで、本開示では、無線リソース割り当て（例えば、時間、周波数、および送信電力リソース）を向上させることができ、それにより空間的再利用を効率的および十分に向上させることが可能となる。
【００５５】
図１０は、本開示の実施形態に従う、図７に示すＡＰ７１０とＵＥ７５０間の無線リンク等のリンクの受信ノードにおいて実行される方法１０００のフローチャートを示す。詳細には、方法１０００は、受信側においてＡＤＳＳを実装するために使用される。このケースでは、受信ノードは、ＡＰ７１０またはＵＥ７５０であり得る。説明のために、ＵＥ７５０はここでは受信ノードとみなし、対応して、ＡＰ７１０は、受信ノードに対する対応する送信ノードとして機能し、逆も同様である。
【００５６】
ステップＳ１０１０では、ＵＥ７５０は、リンクに対するサウンディングおよびセンシング関連のパラメータを、制御ノード、例えば図７におけるＣＣＵ７００から受信する。受信したサウンディングおよびセンシング関連のパラメータは、リンクに対する個別のサウンディングおよびセンシング関連のパラメータ、および、制御ノードにより制御される全てのリンクに対するセンシング関連のパラメータを含む。共通のサウンディングおよびセンシング関連のパラメータは、サウンディングおよびセンシングの期間、および、サウンディングおよびセンシングの間隔を含む。
【００５７】
ステップＳ１０２０において、ＵＥ７５０は、受信したサウンディングおよびセンシング関連のパラメータに基づいて、リンクの方向において全てのサウンディング信号を検知する。
【００５８】
ステップＳ１０３０において、ＵＥ７５０は、１つ以上のセンシング結果を制御ノードに報告する。
【００５９】
実装では、共通のサウンディングおよびセンシング関連のパラメータは、更に、ＵＥ７５０が１つ以上のセンシング結果を制御ノードに報告するためのルールを含む。
【００６０】
サウンディングの間隔の間、全ての受信ノードは、そのリンク方向において、ブラインド監視状態となる。各受信ノードは、そのリンクの到来方向において、その受信ビームをターゲットとする。１つのサウンディングの期間において、受信ビーム調整のいくらかの余地を残すために、方向性センシングに対する受信ビームは、実際のデータ受信のための受信ビームより広くなり得る。
【００６１】
ブラインド検出を介して、受信ノードは、検出したサウンディング信号のＳＲＵに関する情報を決定し得る。この情報は、可能性のある干渉送信機を識別するために、制御ノードに報告される。また、受信ノードは、更に、各検出されたサウンディング信号の強度を測定し得る。この測定の結果は、ＤＬＩＭを導出するためにＣＣＵに報告され、それは、干渉を制御するために、送信機に対する最大許容送信電力または干渉調整パターンを決定するために使用することができる。
【００６２】
図１１は、本開示の実施形態に従う、例示的なセンシングリソース割り当て構成を示す。図１１に示すように、各受信ノードは、ＤＳＳＩの間、全てのＳＲＵを介して、そのリンクの方向における全ての可能性のあるサウンディング信号を検知する。
【００６３】
方法１０００に伴う１つの主たる利点は、受信ノードが、隣接するリンク送信ノードがサウンディング信号を送信している間の時間ウィンドウにおいて、リンクの方向性で全てのサウンディング信号を検知することができることである。方法１０００が２つの隣接するリンクにおいて適用される場合、これらの２つのリンク間の干渉を効率的な方法で検知することが可能となる。
【００６４】
図１２は、本開示の実施形態に従う、図７に示すＡＰ７１０とＵＥ７５０間の無線リンク等のリンクの送信ノードにおいて実行される方法１２００のフローチャートを示す。詳細には、方法１０００は、送信側においてＡＤＳＳを実行するために使用される。このケースでは、送信ノードは、ＡＰ７１０またはＵＥ７５０であり得る。説明のために、ＡＰ７１０はここでは送信ノードとみなし、対応して、ＵＥ７５０は、送信ノードに対する対応する受信ノードとして機能し、逆も同様である。
【００６５】
ステップＳ１２１０では、ＡＰ７１０は、リンクに対するサウンディングおよびセンシング関連のパラメータを、制御ノード、例えば図７におけるＣＣＵ７００から受信する。受信したサウンディングおよびセンシング関連のパラメータは、リンクに対する個別のサウンディングおよびセンシング関連のパラメータ、および、制御ノードにより制御される全てのリンクに対するセンシング関連のパラメータを含む。共通のサウンディングおよびセンシング関連のパラメータは、サウンディングおよびセンシングの期間、および、サウンディングおよびセンシングの間隔（例えば、図９に示すようなＤＳＳＰとＤＳＳＩ）を含む。
【００６６】
ステップＳ１２２０では、ＡＰ７１０は、サウンディングおよびセンシング関連のパラメータに基づくリンクの方向において全てのサウンディング信号を送信する。
【００６７】
実装では、リンクに対する個別のサウンディングおよびセンシング関連のパラメータは、サウンディング信号を送信する送信ノードに対する、サウンディングのリソースエレメントを特定するためのサウンディングのリソースパラメータを含む。特定したサウンディングのリソースエレメントは、時間、周波数、および符号の少なくとも１つ以上に関する。
【００６８】
図１３は、本開示の実施形態に従う、例示的なサウンディングのリソース割り当て構成を示す。
【００６９】
図１３に示すように、各送信ノードは、１つのＳＲＵが割り当てられ得る。また、図７に示すようなＣＣＵ７００等の制御ノードにより制御される、全部でＭの送信機が存在する。オプション的には、各ＳＲＵは周波数に関しても定義され得る。例えば、各ＳＲＵは１つのサブバンドを占める。
【００７０】
方法１２００に伴う１つの主たる利点は、送信ノードが、時間ウィンドウにおいて、リンクの方向性で全てのサウンディング信号を送信できることができることであり、当該時間ウィンドウの間、それ自身およびその隣接するリンクの受信ノードはサウンディング信号を検知する。方法１２００が２つの隣接するリンクにおいて適用される場合、これらの２つのリンク間の干渉（すなわち、１つのネットワーク内のリンク間干渉）を効率的な方法で検知することが可能となる。
【００７１】
本開示は更に、例えば２つのスペクトル共有ＭＭＷ  ＲＡＴネットワーク等の２つのスペクトル共有ネットワーク間のサウンディングおよびセンシングのパラメータ（またはＡＤＳＳパラメータ）を、他のネットワーク内の全てのリンクの送信ノードが方向性サウンディング信号を送信しているとき（すなわち、送信状態のとき）に、１つのネットワーク内の全てのリンクの受信ノードが方向性検知状態であるように、調整することを提案する。そして、ネットワーク間リンク間干渉を測定することができる。これに関し、ネットワーク内リンク間干渉とネットワーク間リンク間干渉の両方を表すＤＬＩＭは、各ネットワーク側において導出され、それにより、干渉測定の正確性が向上する。
【００７２】
図１４は、本開示の実施形態に従う、２つのスペクトル共有ネットワーク間で方向性のサウンディングおよびセンシングのパラメータを調整する手順１４００のフローシーケンスを示す。例えば、この手順は、図６に示すシナリオにおいて適用され得る。ネットワークＡはＣＣＵ  Ａと呼ばれる制御ノードの制御下にあり、ネットワークＢはＣＣＵ  Ｂと呼ばれる制御ノードの制御下にあると仮定する。すなわち、ネットワークＡ内に位置するＡＮ１とＵＥ１はＣＣＵ  Ａの制御下にあり、ネットワークＢ内に位置するＡＮ２とＵＥ２はＣＣＵ  Ｂの制御下にある。例えば、ＣＣＵ  ＡとＣＣＵ  Ｂは、それぞれ、これらの２つのネットワークの２つのオペレータに属し得る。
【００７３】
まず第１に、ネットワークＡとネットワークＢとの間で接続が確立されるべきである（ステップＳ１４１０）、それにより、ＣＣＵ  ＡとＣＣＵ  Ｂは互いに通信することが可能となる。この動作は、ＣＣＵ  ＡまたはＣＣＵ  Ｂのいずれかにより開始され得る。説明のため、ＣＣＵ  Ａが接続の確立を開始すると仮定する。なお、ＣＣＵ  ＡとＣＣＵ  Ｂの役割は、置き換え可能である。
【００７４】
ステップＳ１４２０において、ＣＣＵ  Ａは、（第１のＡＤＳＳパターンにより表わされる）その所望のサウンディングおよびセンシング関連のパラメータを、ＣＣＵ  Ｂに送信する。ＣＣＵ  Ａの所望のサウンディングおよびセンシング関連のパラメータは、第１のサウンディングおよびセンシングのウィンドウ、すなわち、ネットワークＡに対するＤＳＳＰ毎のＤＳＳＩ、を特定するための第１のサウンディングおよびセンシングのリソースパラメータ含む。ネットワークＡに対するＤＳＳＩとＤＳＳＰは、それぞれ第１のＤＳＳＩと第１のＤＳＳＰと称される。すなわち、第１のＡＤＳＳパターンは、第１のＤＳＳＩと第１のＤＳＳＰを示す。例えば、第１のＡＤＳＳパターンは、図１１に示すようなセンシングリソース割り当て構成と、図１３に示すようなサウンディングリソース割り当て構成を示し得る。
【００７５】
ステップＳ１４３０おいて、ＣＣＵ  Ｂは、（第２のＡＤＳＳパターンにより表わされる）自身の所望のサウンディングおよびセンシング関連のパラメータを、ＣＣＵ  Ａの所望のサウンディングおよびセンシング関連のパラメータに基づいて、調整する。ＣＣＵ  Ｂの自身のサウンディングおよびセンシング関連のパラメータは、第２のサウンディングおよびセンシングのウィンドウ、すなわち、ネットワークＢに対するＤＳＳＰ毎のＤＳＳＩ、を特定するための第２のサウンディングおよびセンシングのリソースパラメータ含む。ネットワークＢに対するＤＳＳＩとＤＳＳＰは、それぞれ第２のＤＳＳＩと第２のＤＳＳＰと称される。すなわち、第２のＡＤＳＳパターンは、第２のＤＳＳＩと第１のＤＳＳＰを示す。例えば、第２のＡＤＳＳパターンは、図１１に示すようなセンシングリソース割り当て構成と、図１３に示すようなサウンディングリソース割り当て構成を示し得る。
【００７６】
なお、ＤＳＳＰは、異なるネットワークに対して同じであることは必須ではなく、整数倍の関係であることも可能である。例えば、第１のＤＳＳＰ＝Ｎフレームであり、第２のＤＳＳＰ＝２＊Ｎフレームである。
【００７７】
ステップＳ１４４０において、ＣＣＵ  Ｂは、自身の調整されたサウンディングおよびセンシング関連のパラメータ（すなわち、調整された第２のＡＤＳＳパターン）を、ＣＣＵ  Ａに送信する。
【００７８】
ステップＳ１４５０において、ＣＣＵ  Ｂは、自身の調整されたサウンディングおよびセンシング関連のパラメータを、ネットワークＢ内の全てのリンクに適用する。
【００７９】
なお、ステップＳ１４５０は、ステップＳ１４４０の前、または、ステップＳ１４４０と同じ時間に発生し得る。
【００８０】
ステップＳ１４６０において、ＣＣＵ  Ａは、自身の所望のサウンディングおよびセンシング関連のパラメータを、ＣＣＵ  Ｂの調整されたサウンディングおよびセンシング関連のパラメータに基づいて、調整する。
【００８１】
ステップＳ１４７０において、ＣＣＵ  Ａは、所望の調整されたサウンディングおよびセンシング関連のパラメータを、ネットワークＡ内の全てのリンクに適用する。
【００８２】
その後、ＣＣＵ  Ａは、ネットワークＡにおけるリンクの受信ノードにサービスを提供する２つ以上の第１の無線ノードのそれぞれから１つ以上のセンシング結果を受信し、その後、受信した１つ以上のセンシング結果に基づいて、ＤＬＩＭを決定する。なお、このように決定されたＤＬＩＭは、ネットワーク間リンク間干渉とネットワーク内リンク間干渉を含み得る。
【００８３】
同様に、ＣＣＵ  Ｂは、ネットワークＢにおけるリンクの受信ノードにサービスを提供する２つ以上の第２の無線ノードのそれぞれから１つ以上のセンシング結果を受信し、その後、受信した１つ以上のセンシング結果に基づいて、ＤＬＩＭを決定する。このように、ＤＬＩＭは、ネットワーク間リンク間干渉とネットワーク内リンク間干渉を含み得る。
【００８４】
図１５は、本開示の実施形態に従う、ＣＣＵ  ＡとＣＣＵ  Ｂによりそれぞれ決定されるＤＬＩＭの例を示す図である。
【００８５】
図１５に示すように、ネットワークＡにおいて、リンクＡ１−Ａ６を含む６つのリンクと、ネットワークＢにおいて、リンクＢ１−Ｂ４を含む４つのリンクが存在する。ネットワークＡに対するＤＬＩＭは、ネットワーク内リンク間干渉を示すネットワーク内部ＤＬＩＭと、ネットワークＢからネットワークＡのネットワーク間リンク間干渉を示すネットワーク間干渉を含む。ネットワーク内ＤＬＩＭは、リンクＡ３から、リンクＡ１、Ａ２、およびＡ５への干渉、リンクＡ２からリンクＡ６への干渉、および、リンクＡ６からリンクＡ２およびＡ４への干渉があることを示す。同様に、ネットワークＢに対するＤＬＩＭは、ネットワーク内ＤＬＩＭを含み、それは、リンクＢからリンクＢ３への干渉、リンクＢ３からリンクＢ１とＢ２への干渉、および、リンクＢ４からリンクＢ１およびＢ２への干渉があることを示す。ネットワーク間ＤＬＩＭは、ネットワークＢからネットワークＡへのネットワーク間リンク間干渉を示す。すなわち、Ａ１からＢ４への干渉、Ａ３からＢ４への干渉、Ａ５からＢ３への干渉、および、Ｂ３からＡ５への干渉があることを示す。
【００８６】
そのようなＤＬＩＭを利用することにより、本開示では、無線リソース割り当て（例えば、時間、周波数、および送信電力リソース）を向上させることができ、それにより空間的再利用を効率的および十分に向上させることが可能となる。
【００８７】
第１の実施可能な実装では、ステップＳ１４３０において、ＣＣＵ  Ｂは、第１のＤＳＳＩと整合したウィンドウをネットワークＢにおいて使用するためのセンシングウィンドウとして定義することにより、自身のサウンディングおよびセンシング関連のパラメータを調整する。例えば、ＡＮ２および／またはＵＥ２は、そのようなウィンドウで、ＡＮ１および／またはＵＥ１により送信されたサウンディング信号を検知し得る。これに応じて、ステップＳ１４６０において、ＣＣＵ  Ａは、ネットワークＡにおいて使用するセンシングウィンドウとして、第２のＤＳＳＩで整合されたウィンドウを定義することにより、自身のサウンディングおよびセンシング関連のパラメータを調整する。例えば、ＡＮ１および／またはＵＥ１は、そのようなウィンドウで、ＡＮ２および／またはＵＥ２により送信されたサウンディング信号を検知し得る。
【００８８】
第１の実施可能な実装によれば、第１と第２のＤＳＳＩは、変更されない。
【００８９】
図１６は、本開示の実施形態に従う、調整された第１と第２のＡＤＳＳパターンの例を示す。
【００９０】
図１６に示すように、変更されていない第１のＤＳＳＩを有することに加えて、調整された第１のＡＤＳＳパターンは、更に、第２のＤＳＳＩと整合した第１の監視ウィンドウを示す。すなわち、第１の監視ウィンドウと第２のＤＳＳＩは、同じＳＲＵを占める。調整された第１のＡＤＳＳパターンを有すると、ネットワークＡ内の全てのリンクの受信機は、第１の監視ウィンドウの間でセンシングを行うように構成される。すなわち、第１のＤＳＳＩの間でサウンディングとセンシングを行うことに加えて、ネットワークＡ内の全てのリンクの受信機は、第１の監視ウィンドウ間でセンシングを行う。
【００９１】
同様に、変更されていない第２のＤＳＳＩを有することに加えて、調整された第２のＡＤＳＳパターンは、更に、第１のＤＳＳＩと整合した第２の監視ウィンドウを示す。すなわち、第２の監視ウィンドウと第１のＤＳＳＩは、同じＳＲＵを占める。調整された第２のＡＤＳＳパターンを有すると、ネットワークＢ内の全てのリンクの受信機は、第２の監視ウィンドウの間でセンシングを行うように構成される。すなわち、第２のＤＳＳＩの間でサウンディングとセンシングを行うことに加えて、ネットワークＢ内の全てのリンクの受信機は、第２の監視ウィンドウ間でセンシングを行う。
【００９２】
なお、図１６に示すような第１と第２の監視ウィンドウは、説明のために示され、本開示はこれに限定されるべきではない。
【００９３】
図１７は、図１６に示す例の極端な変形を示す。この例では、第１のＤＳＳＩと第２のＤＳＳＩが整合される。すなわち、第１のＤＳＳＩは、第２のＤＳＳＩと同じＳＲＵを占める。そして、第１の監視ウィンドウは、第１のＤＳＳＩと重複し、それに対応して、第２の監視ウィンドウは、第２のＤＳＳＩと重複し得る。多くのケースでは、そのようなＡＤＳＳパターンも良好に機能する。これは、図１３に示すように、リンクの各送信ノードが１つのＳＲＵが割り当てられ（例えば、１＿Ｔと示されるＳＲＵが第１の送信ノードに割り当てられる）、図１１に示すように、リンクの各受信ノードがＤＳＳＩ間で全てのＳＲＵが割り当てられるからである。
【００９４】
第２の実施可能な実装では、ステップＳ１４３０において、第１のＤＳＳＩと整合した第２の監視ウィンドウを定義することに加えて、ＣＣＵ  Ｂは、更に、第２のＤＳＳＩを調整する。それにより、調整された第２のＤＳＳＩは、第１のＤＳＳＩに直交し、隣接する。それに対応して、ステップＳ１４６０において、ＣＣＵ  Ａは、ネットワークＡにおいて使用するためのセンシングウィンドウとして、調整された第２のＤＳＳＩと整合した第１の監視ウィンドウを定義する。この実装では、第１のＤＳＳＩは変更されないままである。
【００９５】
図１８は、本開示の実施形態に従う、調整された第１と第２のＡＤＳＳパターンの例を示す。図１８に示すような第２のＤＳＳＩは、第２の実施可能な実装に応じた調整の対象であり、すなわち、実質的には、調整された第２のＤＳＳＩを参照することが知らされるべきである。
【００９６】
図１８に示すような調整された第１と第２のＡＤＳＳパターンによれば、第１のＤＳＳＩと調整された第２のＤＳＳＩは、お互いに直交し、隣接する。第１の監視ウィンドウは、調整された第２のＤＳＳＩと整合し、第２の監視ウィンドウは、第１のＤＳＳＩと整合する。調整前の第２のＤＳＳＩが図１６のように示される場合、そのような第２のＤＳＳＩは、左に移動し、図１８に示すような調整された第２のＤＳＳＩを形成する。図示するように、第１のＤＳＳＰと第２のＤＳＳＰは異なる。例えば、第１のＤＳＳＰ＝Ｎフレームであり、第２のＤＳＳＰ＝２＾Ｎフレームである。したがって、第２のＤＳＳＩが右に移動し、調整された第２のＤＳＳＩを形成することも可能である。
【００９７】
調整された第１および第２のＡＤＳＳパターンを用いると、ネットワークＡ内の全てのリンクの送信機は送信状態である限り、ネットワークＢ内の全てのリンクの受信機は受信状態になり、逆も同様である。これにより、ネットワーク間リンク間干渉の正確な測定がもたらされる。
【００９８】
第３の実施可能な実装では、ステップＳ１４３０において、第１のＤＳＳＩと整合した第２の監視ウィンドウを定義することに加えて、ＣＣＵ  Ｂは、更に、第２のＤＳＳＩを調整する。それにより、第１のＤＳＳＩと調整された第２のＤＳＳＩ間において、整合したウィンドウが存在する。例えば、第２のＤＳＳＩが図１６または図１８のように図示される場合、ＣＣＵ  Ｂは、第２のＤＳＳＩの一部が第１のＤＳＳＩの一部と整合するまで、第２のＤＳＳＩを左に動かす。ＣＣＵ  Ｂは、ネットワークＡにより影響を受けないネットワークＢにおける１つ以上の第２のリンクに、整合したウィンドウを割り当てる。同様に、ＣＣＵ  Ａは、ネットワークＢにより影響を受けないネットワークＡにおける１つ以上のリンクに、整合したウィンドウを割り当てる。その後、ステップＳ１４６０において、ＣＣＵ  Ａは、ネットワークＡにおいて使用するためのセンシングウィンドウとして、調整された第２のＤＳＳＩと整合した第１の監視ウィンドウを定義する。この実装では、第１のＤＳＳＩは変更されないままである。
【００９９】
図１９は、本開示の実施形態に従う、調整された第１と第２のＡＤＳＳパターンの例を示す。図１９に示すような第２のＤＳＳＩは、第２の実施可能な実装に応じた調整の対象であり、すなわち、実質的には、調整された第２のＤＳＳＩを参照することが知らされるべきである。
【０１００】
図１９に示すような調整された第１と第２のＡＤＳＳパターンによれば、調整された第２のＤＳＳＩの左半分は、第１のＤＳＳＩの右半分と整合する。すなわち、調整された第２のＤＳＳＩの左半分は、第１のＤＳＳＩの右半分と同じＳＲＵを占める。したがって、この部分は、共有ウィンドウ（上述した整合したウィンドウと等価）と呼ばれ、ネットワークＡとネットワークＢで共有され、残りの部分は、非共有ウィンドウと呼ばれ得る。
【０１０１】
詳細には、共有ウィンドウは、ネットワークＢによる影響を受けないネットワークＡにおける１つ以上のリンク（すなわち、ネットワークＢからのネットワーク間リンク間干渉がないリンク）、並びに、ネットワークＡによる影響を受けないネットワークＢにおける１つ以上のリンク（すなわち、ネットワークＡからのネットワーク間リンク間干渉がないリンク）に割り当てられる。
【０１０２】
このため、各ネットワークは、その全てのリンクを、最後の測定からの結果に応じて２つのグループに分ける。すなわち、ネットワーク間リンク間干渉を有するリンクグループと、ネットワーク間リンク間干渉を有さないリンクグループであり、それぞれ、重複グループと非重複グループと呼ばれ得る。新しい次のリンクに対しては、重複グループに割り当てることがデフォルトである。例えば、図１５に示すリンクＢ３とＢ４は、重複グループに属し、一方、リンクＢ１とＢ２は、非重複グループに属する。重複グループに属するリンクは、図２に示すような難聴問題を回避するために、非共有ウィンドウにおいてスケジュールすることのみが可能である。
【０１０３】
共有ウィンドウは、図１９では１つのサブフレームウィンドウとして図示されるが、これは単に説明のためのものであり、他のあらゆる適切なサイズの共有ウィンドウが適用可能であることが理解されるべきである。
【０１０４】
詳細には、共有ウィンドウのサイズは、ＣＣＵ  ＡとＣＣＵ  Ｂ間でネゴシエートされ得る。例えば、そのようなサイズは、動的または固定のいずれかであり得る。さらに、共有ウィンドウのサイズは、各ネットワークに対するそれぞれの非重複グループに含まれるリンクの合計数に依存し得る。すなわち、共有ウィンドウのサイズは、重複ウィンドウのサイズに適用することができる。
【０１０５】
例えば、ステップＳ１４１０において接続が確立された場合に、ＣＣＵ（例えばＣＣＵ  ＡまたはＣＣＵ  Ｂ）は、どのリンクがネットワーク間リンク間干渉を有するかを判定することができる。このケースにおいて、ＣＣＵは、共有ウィンドウのサイズを決定するために、全てのリンクはネットワーク間リンク間干渉を有すると仮定することができる。１回または数回のセンシングの巡回の後、ＣＣＵは、より多くのリンクだけがネットワーク内リンク間干渉を含むことを理解する。すなわち、これらのリンクはネットワーク間リンク間干渉を含まない。このケースでは、これらのリンクは、共有ウィンドウで構成することができ、それに対応して、共有ウィンドウのサイズは大きくなる。
【０１０６】
以下、図１４に戻って説明を続ける。
【０１０７】
まず第１に、各ネットワークは、ネットワークの調整能力を示す調整レベルを有すると仮定する。異なるネットワークは、異なる調整能力を有し得る。例えば、ネットワークが図１６または図１７に図示するような調整をサポートする場合、レベル１の調整レベルをサポートすると仮定する。ネットワークが図１８に図示するような調整をサポートする場合、レベル２の調整レベルをサポートすると仮定する。ネットワークが図１９に図示するような調整をサポートする場合、レベル３の調整レベルをサポートすると仮定する。
【０１０８】
オプションとして、ステップＳ１４１０における接続を確立する前に、手順１４００は、ＣＣＵ  ＡとＣＣＵ  Ｂ間の調整レベルのネゴシエーションを含み得る。調整レベルのネゴシエーションの間、ネットワークの能力が考慮され、例えば、１つのネットワークは、レベル１の調整だけをサポートするが、別のネットワークはレベル１〜３をサポートし得る。ネットワーク間のネゴシエーション後に最終的に決定される調整レベルは、両方のネットワークによりサポート可能である。
【０１０９】
図１４に示すように、ＣＣＵ  Ａは、その所望の調整レベルを、ステップＳ１４８０においてＣＣＵ  Ｂに送信し、それに応答して、ＣＣＵ  Ｂは、その所望の調整レベルを、ステップＳ１４９０においてＣＣＵ  Ａに送信する。
【０１１０】
２つのネットワーク間で調整レベルのネゴシエーションを迅速に達成するために、特定のルールが事前に定義される。ルール１とルール２を含むいくつかの例示的なルールを以下に挙げる。
【０１１１】
ルール１によれば、提案するより低い調整レベルが適用される。詳細には、ＣＣＵ  ＢがＣＣＵ  Ａより高い所望の調整レベルで返答する場合、ＣＣＵ  Ａの所望の調整レベルが最終的な調整レベルとして選択される。ＣＣＵ  Ｂがより低い所望の調整レベルで返答する場合、この調整レベルが選択される。例えば、ＣＣＵ  Ａがレベル１をＣＣＵ  Ｂに送信し、ＣＣＵ  Ｂがレベル２で返答する場合、レベル１が選択されるべきである。さらに、ＣＣＵ  Ａがレベル２をＣＣＵ  Ｂに送信し、ＣＣＵ  Ｂがレベル１で返答する場合、レベル１が選択されるべきである。
【０１１２】
ルール２によれば、最終的な調整レベルの選択は、調整能力に基づく。特に、ＣＣＵ  Ａの所望の調整レベルがＣＣＵＢによりサポート可能である場合、この調整レベルが最終的な調整レベルとして選択される。また、ＣＣＵ  Ｂは、最終的な調整レベルを、ステップＳ１４９０において送信する。例えば、ＣＣＵ  Ａがレベル２をＣＣＵ  Ｂに送信し、ＣＣＵ  Ｂがレベル２をサポートする場合、レベル２が選択されるべきである。
【０１１３】
図２０は、本開示の実施形態に従う、第１の制御ノードにおいて実行される方法２０００のフローチャートを示す。第１の制御ノードは、第１のネットワークにおける２つ以上の第１の無線ノードの間の１つ以上の第１のリンクを制御する。例として図６を取り上げると、第１のネットワークはネットワークＡであり、第１の無線ノードはＡＮ１とＵＥ１であり、第１のリンクはＡＮ１からＵＥ１へのリンクＡを含む。このケースでは、第１の制御ノードは、ネットワークＡを制御するＣＣＵＡである。方法２０００に関する以下の説明は、この例の手法でなされ、これは説明のためだけのものであり、本開示はそれに限定されないことが理解されるべきである。
【０１１４】
ステップＳ２０１０において、ＣＣＵ  Ａは、その所望のサウンディングおよびセンシング関連のパラメータ（例えば、第１のＡＤＳＳパターン）を、第１のネットワークに隣接し、第１のネットワークと同じ周波数で動作する第２のネットワークにおける２つ以上の第２の無線ノードの間の、１つ以上の第２のリンクを制御する第２の制御ノードに送信する。図６に示すような例に従うと、第２のネットワークはネットワークＢであり、第２の制御ノードはネットワークＢを制御するためのＣＣＵ  Ｂであり、第２の無線ノードはＡＮ２とＵＥ２であり、第２のリンクはＡＮ２からＵＥ２へのリンクＢを含む。
【０１１５】
ステップＳ２０２０において、ＣＣＵ  Ａは、ＣＣＵ  Ｂから、１つ以上の第２のリンクに適用されるサウンディングおよびセンシング関連のパラメータを受信する。それは、第１の制御ノードの所望のサウンディングおよびセンシング関連のパラメータ（例えば、調整された第２のＡＤＳＳパターン）に基づいて調整される。
【０１１６】
ステップＳ２０３０において、ＣＣＵ  Ａは、１つ以上の第２のリンクに適用されるサウンディングおよびセンシング関連のパラメータに基づいて、第１の制御ノードの所望のサウンディングおよびセンシング関連のパラメータを調整する。例えば、ＣＣＵ  Ａは、調整された第２のＡＤＳＳパターンに基づいて、第１のＡＤＳＳパターンを調整する。
【０１１７】
実施では、第１の制御ノードの所望のサウンディングおよびセンシング関連のパラメータは、第１のサウンディングおよびセンシングのウィンドウを特定するための第１のサウンディングおよびセンシングのリソースパラメータを含む。例えば、第１のＡＤＳＳパターンは、第１のＡＤＳＳを含む。１つ以上の第２のリンクに適用される第１の制御ノードの所望のサウンディングおよびセンシング関連のパラメータは、第２のサウンディングおよびセンシングのウィンドウを特定するための第２のサウンディングおよびセンシングのリソースパラメータを含む。例えば、第２のＡＤＳＳパターンは、第２のＡＤＳＳを含む。
【０１１８】
この実装において、ステップＳ２０３０は、１つ以上の第２の無線ノードにより送信されたサウンディング信号をセンシングする２つ以上の第１の無線ノードに対するセンシングウィンドウとして、第２のサウンディングおよびセンシングのウィンドウに整合したウィンドウを定義することにより実装され得る。例えば、図１６または図１７に示すように、ＣＣＵ  Ａは、調整された第１のＡＤＳＳパターンを形成するために、第１の監視ウィンドウを定義する。
【０１１９】
ステップＳ２０４０において、ＣＣＵ  Ａは、調整された所望のサウンディングおよびセンシング関連のパラメータを１つ以上の第２のリンクに適用する。例えば、ＣＣＵ  Ａは、図６に示すようなリンクＡに、調整された第１のＡＤＳＳパターンを適用する。
【０１２０】
実装では、方法２０００は、更に、第１のネットワークにおけるリンクの受信ノードに対してサービスを提供する２つ以上の第１の無線ノードのそれぞれから、１つ以上のセンシング結果を受信することと、受信した１つ以上のセンシング結果に基づいてＤＬＩＭ（例えば図１５に示すようなＤＬＩＭ）を決定することを含む。
【０１２１】
例えば、調整された第１のＡＤＳＳパターンを有すると、ネットワークＡ内の全てのリンクの受信機は、第１の監視ウィンドウの間にセンシングするように構成される。その後、ＣＣＵ  Ａは、ネットワークＡ内の各受信ノードから対応するセンシング結果を受信し、その後、受信したセンシング結果に基づいてＤＬＩＭを決定し得る。ネットワーク間リンク間干渉とネットワーク内リンク間干渉は、両方、調整された第１のパターンにおいて考慮されるため、決定されたＤＬＩＭは、より正確になり、それにより、干渉測定の正確性が向上する。
【０１２２】
図２１は、本開示の実施形態に従う、第２の制御ノードにおいて実行される方法２１００のフローチャートを示す。第２の制御ノードは、第２のネットワークにおける２つ以上の第２の無線ノードの間の１つ以上の第２のリンクを制御する。例として図６を取り上げると、第２のネットワークはネットワークＢであり、第２の無線ノードはＡＮ２とＵＥ２であり、第２のリンクはＡＮ２からＵＥ２へのリンクＢを含む。このケースでは、第２の制御ノードは、ネットワークＢを制御するＣＣＵ  Ｂである。方法２１００に関する以下の説明は、この例の手法でなされ、これは説明のためだけのものであり、本開示はそれに限定されないことが理解されるべきである。
【０１２３】
ステップＳ２１１０において、ＣＣＵ  Ｂは、第２のネットワークに隣接し第２のネットワークと同じ周波数で動作する第１のネットワークにおける２つ以上の第１の無線ノードの間の１つ以上の第２のリンクを制御する第１の制御ノードから、第１の制御ノードの所望のサウンディングおよびセンシング関連のパラメータ（例えば、第１のＡＤＳＳパターン）を受信する。図６に示すような例に従うと、第１のネットワークはネットワークＡであり、第２の制御ノードはネットワークＡを制御するためのＣＣＵ  Ａであり、第１の無線ノードはＡＮ１とＵＥ１であり、第１のリンクはＡＮ１からＵＥ１へのリンクＡを含む。
【０１２４】
ステップＳ２１２０において、ＣＣＵ  Ｂは、第１の制御ノードの所望のサウンディングおよびセンシング関連のパラメータに基づいて、１つ以上の第２のリンクに適用するサウンディングおよびセンシング関連のパラメータを調整する（例えば、第２のＡＤＳＳパターン）。例えば、ＣＣＵ  Ｂは、第１のＡＤＳＳパターンに基づいて、第２のＡＤＳＳパターンを調整し、調整された第２のＡＤＳＳパターンを得る。
【０１２５】
実装では、第１の制御ノードの所望のサウンディングおよびセンシング関連のパラメータは、第１のサウンディングおよびセンシングウィンドウを特定するための第１のサウンディングおよびセンシングのリソースパラメータを含む。例えば、第１のＡＤＳＳパターンは、第１のＤＳＳＩを含む。１つ以上の第２のリンクに適用される第１の制御ノードの所望のサウンディングおよびセンシング関連のパラメータは、第２のサウンディングおよびセンシングのウィンドウを特定するための第２のサウンディングおよびセンシングのリソースパラメータを含む。例えば、第２のＡＤＳＳパターンは、第２のＤＳＳＩを含む。
【０１２６】
この実装では、ステップＳ２１２０は、１つ以上の第１の無線ノードにより送信されたサウンディング信号をセンシングする２つ以上の第２の無線ノードに対するセンシングウィンドウとして、第１のサウンディングおよびセンシングのウィンドウと整合したウィンドウを定義することにより実装され得る。例えば、図１６または図１７に示すように、ＣＣＵ  Ｂは、調整された第２のＡＤＳＳパターンを形成するために、第２の監視ウィンドウを定義する。
【０１２７】
代替的に、ステップＳ２１２０は、第２のサウンディングおよびセンシングのウィンドウが第１のサウンディングおよびセンシングのウィンドウと直交し隣接するように、第２のサウンディングおよびセンシングのウィンドウを調整することにより実装され得る。例えば、図１８に示すように、第２の監視ウィンドウを定義することに加えて、ＣＣＵ  Ｂは、更に、第２のＤＳＳＩを、例えば第２のＤＳＳＩを時間軸で左に動かすことにより、調整する。それにより、調整された第２のＤＳＳＩは、第１のＤＳＳＩと直交し、隣接する。
【０１２８】
代替的に、ステップＳ２１２０は、第１および第２のサウンディングおよびセンシングのウィンドウ間において、整合したウィンドウが存在するように、第１および第２のサウンディングおよびセンシングのウィンドウを調整することにより実装され得る。整合されたウィンドウは、第１のネットワークにより影響を受けない第２のネットワークにおける１つ以上の第２のリンク、並びに、第２のネットワークにより影響を受けない第１のネットワークにおける２つ以上の第１のリンクに割り当てられる。例えば、図１９に示すように、第２の監視ウィンドウを定義することに加えて、ＣＣＵ  Ｂは、更に、第２のＤＳＳＩを、例えば第２のＤＳＳＩを時間軸で左に動かすことにより、調整する。それにより、調整された第２のＤＳＳＩの左半分は、第１のＤＳＳＩの右半分と整合する。この整合したウィンドウは、ネットワークＡとネットワークＢにより共有され、ネットワークＢからのネットワーク間リンク間干渉なしに、ネットワークＡにおけるリンクに割り当てられ、ネットワークＡからのネットワーク間リンク間干渉なしに、ネットワークＢにおけるリンクに割り当てられる。
【０１２９】
整合したウィンドウのサイズは、ＣＣＵ  ＡとＣＣＵ  Ｂ間でネゴシエートされ得る。例えば、そのようなサイズは、動的または固定のいずれかであり得る。さらに、共有ウィンドウのサイズは、他のネットワークからのネットワーク間リンク間干渉なしに、１つのネットワークにおけるリンクの合計数に依存し得る。
【０１３０】
ステップＳ２１３０において、ＣＣＵ  Ｂは、調整されたサウンディングおよびセンシング関連のパラメータを、ＣＣＵ  Ａに送信する。例えば、ＣＣＵ  Ｂは、調整された第２のＡＤＳＳパラメータをＣＣＵ  Ａに送信する。
【０１３１】
ステップＳ２１４０において、ＣＣＵＢは、調整されたサウンディングおよびセンシング関連のパラメータを、１つ以上の第２のリンクに適用する。例えば、ＣＣＵ  Ｂは、図６に示すようなリンクＢに、調整された第２のＡＤＳＳパターンを適用し得る。
【０１３２】
なお、ステップＳ２１４０は、ステップＳ２１３０の前、または、ステップＳ２１３０と同じ時間に発生し得る。
【０１３３】
別の実装では、方法２１００は、更に、第２のネットワークにおけるリンクの受信ノードに対してサービスを提供する２つ以上の第２の無線ノードのそれぞれから、１つ以上のセンシング結果を受信することと、受信した１つ以上のセンシング結果に基づいてＤＬＩＭ（例えば図１５に示すようなＤＬＩＭ）を決定することを含む。
【０１３４】
例えば、調整された第２のＡＤＳＳパターンを有すると、ネットワークＢ内の全てのリンクの受信機は、第２の監視ウィンドウの間でセンシングを行うように構成される。その後、ＣＣＵ  Ｂは、ネットワークＢ内の各受信ノードから対応するセンシング結果を受信し、その後、受信したセンシング結果に基づいてＤＬＩＭを決定し得る。ネットワーク間リンク間干渉とネットワーク内リンク間干渉が、調整された第１のパターンにおいて考慮されるため、決定されたＤＬＩＭは、より正確であり、それにより、干渉測定の正確性が向上する。
【０１３５】
図２２は、本開示に従う、第１の制御ノード２２００の概略ブロック図である。第１の制御ノード２２００は、第１のネットワークにおける２つ以上の第１の無線ノードの間の１つ以上の第１のリンクを制御する。例として図６を取り上げると、第１のネットワークはネットワークＡであり、第１の無線ノードはＡＮ１とＵＥ１であり、第１のリンクはＡＮ１からＵＥ２へのリンクＡを含む。このケースでは、対応して、第１の制御ノード２２００は、ネットワークＡを制御するＣＣＵＡである。以下の説明は、この例の手法でなされ、これは説明のためだけのものであり、本開示はそれに限定されないことが理解されるべきである。
【０１３６】
図２２において示すように、第１の制御ノード２２００は、送信部２２１０、受信部２２２０、調整部２２３０、適用部２２４０、およびＤＬＩＭ決定部２２５０を含む。ＤＬＩＭ決定部２２５０はオプションである。
【０１３７】
送信部２２１０は、第１のネットワークに隣接し第１のネットワークと同じ周波数で動作する第２のネットワークにおける２つ以上の第２の無線ノードの間の１つ以上の第２のリンクを制御する第２の制御ノードに対して、第１の制御ノードの所望のサウンディングおよびセンシング関連のパラメータを送信するように構成される。図６に示すような例に従うと、第２のネットワークはネットワークＢであり、第２の制御ノードはネットワークＢを制御するためのＣＣＵ  Ｂであり、第２の無線ノードはＡＮ２とＵＥ２であり、第２のリンクはＡＮ２からＵＥ２へのリンクＢを含む。よって、この例では、送信部２２１０は、第１のＡＤＳＳパターンをＣＣＵ  Ｂを送信する。
【０１３８】
受信部２２２０は、ＣＣＵ  Ｂから、１つ以上の第２のリンクに適用される、サウンディングおよびセンシング関連のパラメータを受信するように構成される。当該パラメータは、第１の制御ノードの所望のサウンディングおよびセンシング関連のパラメータ（例えば調整された第２のＡＤＳＳパターン）に基づいて調整される。
【０１３９】
調整部２２３０は、１つ以上の第２のリンクに適用されるサウンディングおよびセンシング関連のパラメータに基づいて、第１の制御ノードの所望のサウンディングおよびセンシング関連のパラメータを調整するように構成される。例えば、調整部２２３０は、調整された第２のＡＤＳＳパターンに基づいて、第１のＡＤＳＳパターンを調整する。
【０１４０】
実装では、第１の制御ノードの所望のサウンディングおよびセンシング関連のパラメータは、第１のサウンディングおよびセンシングウィンドウを特定するための第１のサウンディングおよびセンシングのリソースパラメータを含む。例えば、第１のＡＤＳＳパターンは、第１のＡＤＳＳを含む。１つ以上の第２のリンクに適用される第１の制御ノードの所望のサウンディングおよびセンシング関連のパラメータは、第２のサウンディングおよびセンシングのウィンドウを特定するための第２のサウンディングおよびセンシングのリソースパラメータを含む。例えば、第２のＡＤＳＳパターンは、第２のＡＤＳＳを含む。
【０１４１】
この実装では、調整部２２３０は、さらに、１つ以上の第２の無線ノードにより送信されたサウンディング信号を検知する２つ以上の第１の無線ノードに対するセンシングウィンドウとして、第２のサウンディングおよびセンシングのウィンドウと整合したウィンドウを定義するように構成される。例えば、図１６または図１７に示すように、調整部２２３０は、調整された第１のＡＤＳＳパターンを形成するために、第１の監視ウィンドウを定義する。
【０１４２】
さらに、適用部２２４０は、調整された所望のサウンディングおよびセンシング関連のパラメータを１つ以上の第１のリンクに適用する。例えば、適用部２２４０は、図６に示すようなリンクＡに、調整された第１のＡＤＳＳパターンを適用する。
【０１４３】
別の実装では、受信部２２２０は、更に、第１のネットワークにおけるリンクの受信ノードに対してサービスを提供する２つ以上の第１の無線ノードのそれぞれから、１つ以上のセンシング結果を受信するように構成される。このケースでは、ＤＬＩＭ決定部２２５０は、受信した１つ以上のセンシング結果（例えば図１５に示すようなＤＬＩＭ）に基づいてＤＬＩＭを決定するように構成される。
【０１４４】
図２３は、本開示に従う、第２の制御ノード２３００の概略ブロック図である。第２の制御ノード２３００は、第２のネットワークにおける２つ以上の第２の無線ノードの間の１つ以上の第２のリンクを制御する。例として図６を取り上げると、第２のネットワークはネットワークＢであり、第２の無線ノードはＡＮ２とＵＥ２であり、第２のリンクはＡＮ２からＵＥ２へのリンクＢを含む。このケースでは、第２の制御ノードは、ネットワークＢを制御するＣＣＵ  Ｂである。第２の制御ノード２３００に関する以下の説明は、この例の手法でなされ、これは説明のためだけのものであり、本開示はそれに限定されないことが理解されるべきである。
【０１４５】
図２３において示すように、第２の制御ノード２３００は、受信部２３１０、調整部２３２０、送信部２３３０、適用部２３４０、およびＤＬＩＭ決定部２３５０を含む。ＤＬＩＭ決定部２２５０はオプションである。
【０１４６】
受信部２３１０は、第２のネットワークに隣接し第２のネットワークと同じ周波数で動作する第１のネットワークにおける２つ以上の第１の無線ノードの間の１つ以上の第２のリンクを制御する第１の制御ノードから、第１の制御ノードの所望のサウンディングおよびセンシング関連のパラメータ（例えば、第１のＡＤＳＳパターン）を受信するように構成される。図６に示すような例に従うと、第１のネットワークはネットワークＡであり、第１の制御ノードはネットワークＡを制御するためのＣＣＵ  Ａであり、第１の無線ノードはＡＮ１とＵＥ１であり、第１のリンクはＡＮ１からＵＥ１へのリンクＡを含む。
【０１４７】
調整部２３２０は、第１の制御ノードの所望のサウンディングおよびセンシング関連のパラメータに基づいて、１つ以上の第２のリンクに適用するサウンディングおよびセンシング関連のパラメータ（例えば、第２のＡＤＳＳパターン）を調整するように構成される。例えば、ＣＣＵ  Ｂは、調整された第１のＡＤＳＳパターンに基づいて、第２のＡＤＳＳパターンを調整し、調整された第２のＡＤＳＳパターンを得る。
【０１４８】
実装では、第１の制御ノードの所望のサウンディングおよびセンシング関連のパラメータは、第１のサウンディングおよびセンシングウィンドウを特定するための第１のサウンディングおよびセンシングのリソースパラメータを含む。例えば、第１のＡＤＳＳパターンは、第１のＤＳＳＩを含む。１つ以上の第２のリンクに適用される第１の制御ノードの所望のサウンディングおよびセンシング関連のパラメータは、第２のサウンディングおよびセンシングのウィンドウを特定するための第２のサウンディングおよびセンシングのリソースパラメータを含む。例えば、第２のＡＤＳＳパターンは、第２のＤＳＳＩを含む。
【０１４９】
この実装では、調整部２２３０は、更に、１つ以上の第１の無線ノードにより送信されたサウンディング信号をセンシングする２つ以上の第２の無線ノードに対するセンシングウィンドウとして、第１のサウンディングおよびセンシングのウィンドウと整合したウィンドウを定義するように構成される。例えば、図１６または図１７に示すように、調整部２２３０は、調整された第２のＡＤＳＳパターンを形成するために、第２の監視ウィンドウを定義する。
【０１５０】
代替的に、調整部２３２０は、更に、第２のサウンディングおよびセンシングのウィンドウが第１のサウンディングおよびセンシングのウィンドウと直交し隣接するように、第２のサウンディングおよびセンシングのウィンドウを調整するように構成される。例えば、図１８に示すように、第２の監視ウィンドウを定義することに加えて、調整部２３２０は、更に、第２のＤＳＳＩを、例えば第２のＤＳＳＩを時間軸で左に動かすことにより、調整する。それにより、調整された第２のＤＳＳＩは、第１のＤＳＳＩと直交し、隣接する。
【０１５１】
代替的に、調整部２３２０は、更に、第１および第２のサウンディングおよびセンシングのウィンドウ間において、整合したウィンドウが存在するように、第１および第２のサウンディングおよびセンシングのウィンドウを調整するように構成される。整合されたウィンドウは、第１のネットワークにより影響を受けない第２のネットワークにおける１つ以上の第２のリンク、並びに、第２のネットワークにより影響を受けない第１のネットワークにおける２つ以上の第１のリンクに割り当てられる。例えば、図１９に示すように、第２の監視ウィンドウを定義することに加えて、調整部２３２０は、更に、第２のＤＳＳＩを、例えば第２のＤＳＳＩを時間軸で左に動かすことにより、調整する。それにより、調整された第２のＤＳＳＩの左半分は、第１のＤＳＳＩの右半分と整合される。この整合したウィンドウは、ネットワークＡとネットワークＢにより共有され、ネットワークＢからのネットワーク間リンク間干渉なしに、ネットワークＡにおけるリンクに割り当てられ、ネットワークＡからのネットワーク間リンク間干渉なしに、ネットワークＢにおけるリンクに割り当てられる。
【０１５２】
整合されたウィンドウのサイズは、ＣＣＵ  ＡとＣＣＵ  Ｂ間でネゴシエートされ得る。例えば、そのようなサイズは、動的または固定のいずれかであり得る。さらに、共有ウィンドウのサイズは、他のネットワークからのネットワーク間リンク間干渉なしに、１つのネットワークにおけるリンクの合計数に依存し得る。
【０１５３】
送信部２３３０は、調整された所望のサウンディングおよびセンシング関連のパラメータを第１の制御ノードに送信するように構成される。例えば、調整された第２のＡＤＳＳパターンはＣＣＵ  Ａに送信される。
【０１５４】
調整部２３４０は、調整された所望のサウンディングおよびセンシング関連のパラメータを１つ以上の第２のリンクに適用するように構成される。例えば、適用部２３４０は、図６に示すようなリンクＢに、調整された第２のＡＤＳＳパターンを適用する。
【０１５５】
別の実装では、受信部２３１０は、更に、第２のネットワークにおけるリンクの受信ノードに対してサービスを提供する２つ以上の第２の無線ノードのそれぞれから、１つ以上のセンシング結果を受信するように構成される。この実装では、ＤＬＩＭ決定部２３５０は、受信した１つ以上のセンシング結果（例えば図１５に示すようなＤＬＩＭ）に基づいてＤＬＩＭを決定するように構成される。
【０１５６】
図２４は、本開示に従う、第１の制御ノード２２００または第２の制御ノード２３００により使用され得る構成２４００の実施形態を概略的に示す。
【０１５７】
構成２４００には、ここでは、デジタル信号プロセッサ（ＤＳＰ）等を有する処理部２４０６が含まれる。処理部２４０６は、ここで説明した手順の異なるアクションを実行する、単一のユニットまたは複数のユニットであり得る。構成２４００はまた、他のエンティティから信号を受信するための入力部２４０２、他のエンティティへ信号を提供するための出力部２４０４を含み得る。入力部と出力部は、統合したエンティティとして、または図２２または図２３の例において図示すように、構成される。
【０１５８】
さらに、構成２４００は、電気的消去可能プログラマブル読み取り専用メモリ（ＥＥＰＲＯＭ）、フラッシュメモリ、およびハードドライブ等の非揮発性または揮発性のメモリの形態の、少なくとも１つのコンピュータプログラム製品２４０８を含む。コンピュータプログラム製品２４０８は、構成２４００における処理部２４０６により実行された場合に、構成２４００および／またはそれが含まれる第１または第２の制御ノードに、例えば図１４、図２０、または図２１に関連して前述した手順のアクションを実行させる、コード／コンピュータ読み取り可能な命令を含む。
【０１５９】
コンピュータプログラム２４１０は、コンピュータプログラムモジュール２４１０Ａ−２４１０Ｅまたは２４１０Ｆ−２４１０Ｊにおいて構成されるコンピュータプログラムコードとして構成され得る。
【０１６０】
したがって、構成２４００が第１の制御ノード２２００において使用される場合の例示的な実施形態において、構成２４００のコンピュータプログラムにおけるコードは、第１のネットワークに隣接し第１のネットワークと同じ周波数で動作する第２のネットワークにおける２つ以上の第２の無線ノードの間の、１つ以上の第２のリンクを制御する第２の制御ノードに対して、第１の制御ノードの所望のサウンディングおよびセンシング関連のパラメータを送信するための送信モジュール２４１０Ａを有する。コンピュータプログラム２４１０におけるコードは、更に、第１の制御ノードの所望のサウンディングおよびセンシング関連のパラメータに基づいて調整された、１つ以上の第２のリンクに適用するサウンディングおよびセンシング関連のパラメータを、第２の制御ノードから受信するための受信モジュール２４１０Ｂを有する。コンピュータプログラム２４１０におけるコードは、更に、１つ以上の第２のリンクに適用するサウンディングおよびセンシング関連のパラメータに基づいて、第１の制御ノードの所望のサウンディングおよびセンシング関連のパラメータを調整するための調整モジュール２４１０Ｃを有する。コンピュータプログラム２４１０におけるコードは、更に、調整された所望のサウンディングおよびセンシング関連のパラメータを１つ以上の第１のリンクに適用するための適用モジュール２４１０Ｄを有する。コンピュータプログラム２４１０におけるコードは、更に、例えば、第１の制御ノードの動作に関連付けられる、他の関連する手順を制御し実行するための、モジュール２４１０Ｅとして図示されるモジュールを有し得る。
【０１６１】
構成２４００が第２の制御ノード２３００において使用される場合の別の実施形態において、構成２４００のコンピュータプログラムにおけるコードは、第２のネットワークと隣接し、第２のネットワークと同じ周波数で動作する第１のネットワークにおける２つ以上の第１の無線ノードの間の、１つ以上の第２のリンクを制御する第１の制御ノードから、第１の制御ノードの所望のサウンディングおよびセンシング関連のパラメータを受信するための受信モジュール２４１０Ｆを有する。コンピュータプログラム２４１０におけるコードは、更に、第１の制御ノードの所望のサウンディングおよびセンシング関連のパラメータに基づいて、１つ以上の第２のリンクに適用されるサウンディングおよびセンシング関連のパラメータを調整するための調整モジュール２４１０Ｇを有する。コンピュータプログラム２４１０におけるコードは、更に、調整された所望のサウンディングおよびセンシング関連のパラメータを第１の制御ノードに送信するための送信モジュール２４１０Ｈを有する。コンピュータプログラム２４１０におけるコードは、更に、調整された所望のサウンディングおよびセンシング関連のパラメータを１つ以上の第２のリンクに適用するための適用モジュール２４１０Ｉを有する。コンピュータプログラム２４１０におけるコードは、更に、例えば、第２の制御ノードの動作に関連付けられる、他の関連する手順を制御し実行するための、モジュール２４１０Ｊとして図示されるモジュールを有し得る。
【０１６２】
コンピュータプログラムモジュールは、本質的には、第１の制御ノード２２００を模倣するために図１４または図２０で図示されるフローのアクション、または、第２の制御ノード２３００を模倣するために図１４または図２１で図示されるフローのアクションを実行することができる。すなわち、異なるコンピュータプログラムが処理部２４０６で実行される場合に、それらは、例えば、図２２のユニット２２１０−２２４０または、図２３のユニット２３１０−２３４０に対応し得る。
【０１６３】
図２４と併せて上記に開示した実施形態におけるコードの手段は、処理部において実行される場合に、構成に上記に示した図と併せて上述したアクションを実行させる、コンピュータプログラムモジュールとして実装されるが、コードの別の実施形態においてハードウェア回路として少なくとも部分的に実装され得る。
【０１６４】
プロセッサは、単一のＣＰＵ（中央処理ユニット）であり得るが、２つ以上の処理ユニットを有してもよい。例えば、プロセッサは、汎用マイクロプロセッサ、命令セットプロセッサおよび／または関連するチップセットおよび／または特定用途向け集積回路（ＡＳＩＣ）等の特定用途のマイクロプロセッサであり得る。プロセッサは、キャッシュする目的のボードメモリを含み得る。コンピュータプログラムは、プロセッサと接続されたコンピュータプログラム製品により実行され得る。コンピュータプログラム製品は、コンピュータプログラムが格納されるコンピュータ読み取り可能な媒体を含み得る。例えば、コンピュータプログラム製品は、フラッシュメモリ、ランダムアクセスメモリ（ＲＡＭ）、読み取り専用メモリ（ＲＯＭ）、またはＥＥＰＲＯＭであり得る。また、上述したコンピュータプログラムモジュールは、別の実施形態では、制御ノード内のメモリの形態で異なるコンピュータプログラム製品上に分散され得る。
【０１６５】
本開示は、更に、ＡＤＳＳ関連機能（以下、ＡＤＳＳ機能性とも称される）を、システムプロトコルレイヤおよび関連するシグナリングフローにマップすることを提案する。従来において既知のように、システムプロトコルレイヤ（以下、単に「プロトコルレイヤ」と称する）は、例えば、無線リソース制御（ＲＲＣ）レイヤ、パケットデータコンバージェンスプロトコル（ＰＤＣＰ）レイヤ、媒体アクセス制御（ＭＡＣ）レイヤ、物理（ＰＨＹ）レイヤ等を含み得る。
【０１６６】
ＡＤＳＳの機能性は、上記に例示したような、例えば、方法８００、方法１０００、方法１２００、方法２０００、および／または、方法２１００により実装される機能を含み得る。また、ＡＤＳＳの機能性は、上記に例示したような、第１の制御ノード、第２の制御ノード、および／または、構成２４００により実行される機能を含み得る。
【０１６７】
本開示によれば、ＡＤＳＳの機能性は、複数のＡＤＳＳサブ機能性モジュールにより実装され得る。それは、異なる責任に対応し、異なるプロトコルレイヤにマップされる。
【０１６８】
図２５は、本開示に従う、ＡＤＳＳサブ機能モジュールと、プロトコルレイヤへのそれらの対応するマッピングを示す。
【０１６９】
示されるように、本開示に従う全体のＡＤＳＳ機能性は、ＣＣＵ、各サービング無線ノード（例えば、図７におけるＡＰ７２０）のＲＲＣレイヤとＭＡＣレイヤ、および、そのクライアント無線ノード（例えば、図７におけるＵＥ７６０）のＲＲＣレイヤとＭＡＣレイヤにわたって分布する。各プロトコルレイヤにマップされるＡＤＳＳ機能性は、更に、複数のサブ機能性モジュールに分割され得る。
【０１７０】
ＣＣＵでは、ＡＤＳＳ機能性は、ＣＣＵ  ＡＤＳＳマネージャにより実装され、それは、３つのサブ機能性モジュール、図２５に図示するように、設定マネージャ、ＤＬＩＭマネージャ、リソース割り当てマネージャを含む。
【０１７１】
設定マネージャは、各ＡＰまたはＣＣＵの制御下にある各リンクに対する、サウンディングおよびセンシング関連のパラメータを管理する。サウンディングおよびセンシング関連のパラメータは、少なくとも、
・図１６に示すような、ＤＳＳＰ開始ポイントおよび長さ、ＤＳＳＩ開始ポイントおよび長さ、ＤＳＳＩパターン、
・どのようにＳＲＵを図１３に示すような各リンクに設定するかに関する設定
・例えば報告のためのタイミング、報告のフォーマット等を含む、受信ノードがそのセンシング結果をＣＣＵに報告するためのルールにおける設定、を含み得る。
【０１７２】
例えば、設定マネージャは、図８におけるステップＳ８１０、図２０におけるＳ２０３０、または、図２１におけるステップＳ２１２０を実行し得る。また、設定マネージャは、図２２における調整部２２３０として、または、図２３における調整部２３２０として機能し得る。
【０１７３】
ＤＬＩＭマネージャは、ＤＬＩＭを導出し得る。詳細には、これは以下のようになされる。第１に、ＤＬＩＭマネージャは、全てのリンクの受信機（すなわち、受信ノード）からセンシング結果を収集する。センシング結果は、測定報告を介してＣＣＵに報告される。第２に、ＤＬＩＭマネージャは、センシング結果を評価し、各リンク間の干渉関係を決定する。第３に、ＤＬＩＭマネージャは、干渉関係に基づいてＤＬＩＭを導出し、ＤＬＩＭをリソースマネージャに出力する。オプション的に、ＤＬＩＭマネージャは、最も新しいセンシング結果に基づいてＤＬＩＭを更新する。
【０１７４】
例えば、ＤＬＩＭマネージャは、方法８００または方法２０００においてＤＬＩＭの決定を実行し得る。
【０１７５】
リソースマネージャは、リソース割り当て関連の設定および適合を決定する。例えば、リソース割り当て関連の設定および適合は、これに限定されないが、スケジューリングベースのリソース割り当てに対するリソーステンプレート割り当て、干渉を軽減するための干渉リンクおよび／または犠牲リンクに対するリソーステンプレート調整、干渉軽減アクション決定および対応するノードに対する対応する命令の生成、または、衝突の回避を改善するための競合関連設定の調整、を含み得る。
【０１７６】
干渉軽減アクションの決定および対応するノードに対する対応する命令の生成は、
・干渉軽減のための干渉リンクおよび／または犠牲リンクに対するリンクの向け直し調整、および／または、
・調整されたスケジューリング、および／または、
・調整されたビームフォーミング、および／または、
・調整されたブランキング、等を含む。
【０１７７】
例えば、リソースマネージャは、図２０におけるステップＳ２０４０、図２１におけるＳ２１４０を実行し得る。また、設定マネージャは、図２２における適用部２２４０として、または、図２３における適用部２３４０として機能し得る。
【０１７８】
ＡＰでは、ＡＤＳＳ機能性が、ＲＲＣレイヤとＭＡＣレイヤを介して分配される。詳細には、ＡＰにおけるＡＤＳＳ機能性は、ＡＤＳＳ  ＲＲＣモジュールとＡＤＳＳ  ＭＡＣモジュールにより実装され得る。
【０１７９】
ＲＲＣレイヤでは、ＡＤＳＳ  ＲＲＣモジュールは、リンク特定のサウンディングリソース割り当ておよび適合のために使用され得る。それは、ＳＲＵマネージャおよびＲＲＣ  ＡＤＳＳマネージャを含み得る。ＳＲＵマネージャは、ＳＲＵリソースを管理する。すなわち、ＳＲＵマネージャは、設定されたＤＳＳＩパターンに応じて、各リンクに対するＳＲＵリソースの割り当てを管理する。ＲＲＣ  ＡＤＳＳマネージャは、サウンディングリソースの混雑におけるリンク特定のＡＤＳＳ設定ポリシーを調整し、方向性サウンディングおよびセンシング報告を管理する。
【０１８０】
ＭＡＣレイヤでは、ＡＤＳＳ  ＭＡＣモジュールは、ＡＰ側におけるＡＤＳＳ  ＲＲＣモジュールのように、より高いレイヤのＡＤＳＳモジュールからの命令に応じて、ＡＤＳＳを実行してリソースを利用するために使用される。それは、ＡＤＳＳエグゼキュータとリソース割り当てエグゼキュータを含む。ＡＤＳＳエグゼキュータは、送信リンクに対して割り当てられるＳＲＵ上で送信機に対して方向性サウンディング信号の送信を決定し、受信リンクに対して方向性センシングを実行する。リソース割り当てエグゼキュータは、上位のユニットからの、リソース割り当てまたはリソース割り当て戦略にしたがって、データ送信および送信を決定する。例えば、１つのリンクがトラフィックを受信すると、リソース割り当てエグゼキュータは、ＣＣＵのリソースマネージャから受信したスケジューリングテンプレートに基づいて、リソースをスケジュールし得る。更に、リソース割り当てエグゼキュータは、設定されたポリシーとパラメータに従って、サウンディングリソース使用を、ＣＣＵに報告し得る。
【０１８１】
例として、ＡＤＳＳマネージャは、図１０におけるステップＳ１０２０、図１２におけるＳ１２２０を実行し得る。
【０１８２】
クライアント無線ノードでは、対応するピアＡＤＳＳプロトコルエンティティ、すなわち、ＲＲＣレイヤにおけるＡＤＳＳ  ＲＲＣモジュールとＭＡＣレイヤにおけるＡＤＳＳ  ＭＡＣモジュールが存在する。
【０１８３】
ＡＤＳＳ  ＲＲＣモジュールは、サービングＡＰからピアＡＤＳＳ  ＲＲＣモジュールからの設定を受信し、ローカルＡＤＳＳ機能性モジュールを設定する。更に、クライアント無線ノードがリンクの受信ノードとして機能する場合、センシング結果も生成し得る。
【０１８４】
例えば、クライアント無線ノードにおけるＡＤＳＳ  ＲＲＣモジュールは、図１０におけるステップＳ１０１０、図１２におけるＳ１２１０を実行し得る。クライアント無線ノードがリンクの受信ノードとして機能する場合、クライアント無線ノードにおけるＡＤＳＳ  ＲＲＣモジュールは、図１０におけるステップＳ１０３０も実行し得る。
【０１８５】
クライアント無線ノードがリンクの送信ノードとして機能する場合、ＡＤＳＳ  ＭＡＣモジュールは、方向性サウンディング信号の送信をスケジュールし、クライアント無線ノードがリンクの受信ノードとして機能する場合、ＡＤＳＳ  ＭＡＣモジュールは、方向性センシング信号の受信をスケジュールする。更に、クライアント無線ノードが受信ノードとして機能する場合、そのＡＤＳＳ  ＭＡＣモジュールはまた、センシング結果を生成し、設定に従って、それらをＲＲＣレイヤに送信する。
【０１８６】
例えば、クライアント無線ノードにおけるＡＤＳＳ  ＲＲＣモジュールは、図１０におけるステップＳ１０３０を実行し得る。
【０１８７】
図２６は、本開示に従う、例示的な構成シグナリングのフローを示す。
【０１８８】
図２６ａに示すように、ＣＣＵは、サウンディングおよびセンシング関連の設定に関する情報（設定情報とも称される）を、ＡＰのＡＤＳＳ  ＲＲＣモジュールに送信する。そして、ＡＰのＡＤＳＳ  ＲＲＣモジュールは、当該情報に従って構成される。図２６ｂに図示するように、ＡＰのＡＤＳＳ  ＲＲＣモジュールは、設定情報を、特定の無線ノードのＡＤＳＳ  ＲＲＣモジュール（すなわち、図２５に図示されるようなクライアント無線ノードにおけるＡＤＳＳ  ＲＲＣモジュール）に送信する。その後、図２６ｃと図２６ｄにおいて、ＡＰまたはクライアント無線ノードのいずれかに対して、それぞれのＡＤＳＳ  ＲＲＣモジュールが設定情報に従ってそれぞれのＡＤＳＳ  ＭＡＣモジュールを設定する。設定情報は、ＡＤＳＳ関連のパラメータを示す。例えば、ＤＳＰＰ開始および長さ、ＤＳＳＩ開始と長さ、ＤＳＳＩパターン、ＳＲＵ割り当ておよび方向性センシングおよび測定に対する設定、測定報告関連の設定、方向性サウンディング信号送信関連の設定（例えば送信電力）である。
【０１８９】
図２７は、本開示に従う、例示的なセンシング結果シグナリングのフローを示す。
【０１９０】
センシング結果は、受信ノードにおいて処理され、測定報告において出力される。リンクの各受信ノードは、ＭＡＣレイヤにおいてリンクに対するセンシング結果を生成し、測定報告をそのＡＤＳＳ  ＲＲＣモジュールに送信する（図２７ａ）。受信ノードがＡＰである場合、測定報告は、ＡＰのＡＤＳＳ  ＲＲＣモジュールにより直接的にＣＣＵへ送信される（図２７ｂ）。受信ノードがクライアント無線ノードである場合、測定報告は、まずＡＰのピアＡＤＳＳ  ＲＲＣモジュールへ送信され、次に、測定報告はＣＣＵへ転送される（図２７ｃ）。ＣＣＵは、一旦、設定情報を用いてＡＰのＡＤＳＳ  ＲＲＣモジュールを構成し、ＡＰのＡＤＳＳ  ＲＲＣモジュールは、設定情報を格納し、その後、新しいリンクのために格納された設定情報を用いてサーブされるリンクを設定する。
【０１９１】
ＡＰがサービスを提供する複数のリンクに対しては、ＡＤＳＳ  ＲＲＣモジュールは、更に、オーバヘッドをセーブするために、複数のリンクのセンシング報告を統合し、統合したセンシング報告をＣＣＵに送信し得る。
【０１９２】
図２８は、本開示に従う、スケジューリングベースのリソース割り当てに対する例示的なシグナリングフローを示す。
【０１９３】
本開示によれば、トラフィックの変動が生じると、１つのリンクに割り当てられるリソーステンプレートを動的に調整することが可能である。例では、リンクが、（例えばテンプレートにより）割り当てられたグラントより高いデータレートを必要とする場合に、このリンクにサービスを提供するＡＰは、テンプレートグラント要求グラント（ＧＲＡ）をＣＣＵに送信する。応答として、ＣＣＵにおけるリソースマネージャは、テンプレートグラント割り当て（ＴＧＡ）メッセージを用いて、リンクに対してより多くのリソースを割り当て得る。同様に、リンクが、割り当てられたグラントより低いデータレートを必要とする場合に、ＡＰはＧＲＡをＣＣＵに送信し、それにより、リソースマネージャにより、ＴＧＡメッセージを介して新しいリソーステンプレートを用いて、リンクに対してより少ないリソースが割り当てら得る。
【０１９４】
本開示を、その実施形態を参照して上記に説明した。しかしながら、それらの実施形態は、本開示を制限するよりむしろ、説明を目的として提供されるに過ぎないと理解されるべきである。本開示の範囲は、添付の請求項並びにそれらの等価物により定義される。当業者であれば、本開示の範囲を逸脱せずに種々の代替および修正行うことができ、それは全て本開示の範囲に含まれる。
【図１】
0006557736.tif 000003
【図２】
0006557736.tif 000004
【図３】
0006557736.tif 000005
【図４】
0006557736.tif 000006
【図５】
0006557736.tif 000007
【図６】
0006557736.tif 000008
【図７】
0006557736.tif 000009
【図８】
0006557736.tif 000010
【図９】
0006557736.tif 000011
【図１０】
0006557736.tif 000012
【図１１】
0006557736.tif 000013
【図１２】
0006557736.tif 000014
【図１３】
0006557736.tif 000015
【図１４】
0006557736.tif 000016
【図１５】
0006557736.tif 000017
【図１６】
0006557736.tif 000018
【図１７】
0006557736.tif 000019
【図１８】
0006557736.tif 000020
【図１９】
0006557736.tif 000021
【図２０】
0006557736.tif 000022
【図２１】
0006557736.tif 000023
【図２２】
0006557736.tif 000024
【図２３】
0006557736.tif 000025
【図２４】
0006557736.tif 000026
【図２５】
0006557736.tif 000027
【図２６】
0006557736.tif 000028
【図２７】
0006557736.tif 000029
【図２８】
0006557736.tif 000030